(57)【要約】  ＮＲにおけるＰＵＳＣＨ内のＵＣＩの多重化に関する、ユーザ装置、基地局、および無線通信方法が提供される。ユーザ装置は、基地局からのＵＬグラントの前にＤＬ割り当てに基づいて生成されたＵＣＩのビット数ＭおよびＵＬグラント後のＤＬ割り当てに基づいて生成されたＵＣＩのビット数Ｎと、ＵＬグラントに示されたＵＣＩのビット数Ｐ、および／または少なくとも多重化ルールに従って設定された符号化レートに基づいて算定されたビットの最大数Ｑと、の比較に従ってＵＣＩビットを処理し、上記のＭ、Ｎ、Ｐ、Ｑの各々は０以上の整数である、回路と、処理されたＵＣＩビットを、ＰＵＳＣＨにおいて、ＵＬグラントに示されたＴＴＩで基地局に送信する送信機と、を含む。【選択図】図２
2021510015.tif 000002
【特許請求の範囲】
【請求項１】
基地局からのアップリンク（ＵＬ）グラントの前にダウンリンク（ＤＬ）割り当てに基づいて生成されたアップリンク制御情報（ＵＣＩ）のビット数Ｍおよび前記ＵＬグラント後のＤＬ割り当てに基づいて生成されたＵＣＩのビット数Ｎと、前記ＵＬグラントに示されたＵＣＩのビット数Ｐ、および／または少なくとも設定された符号化レートに基づいて算定されたビットの最大数Ｑと、の比較に従って送信対象のＵＣＩビットを処理し、Ｍ、Ｎ、Ｐ、Ｑの各々は０以上の整数である、回路と、
前記処理されたＵＣＩビットを、物理アップリンク共有チャネル（ＰＵＳＣＨ）において、前記ＵＬグラントに示された送信時間間隔（ＴＴＩ）で前記基地局に送信する送信機と、
を含むユーザ装置。
【請求項２】
（Ｍ＋Ｎ）≦Ｐのとき、前記回路は、いかなる圧縮もせずに、前記ＮビットのＵＣＩと前記ＭビットのＵＣＩとを多重化し、
Ｍ＜Ｐ＜（Ｍ＋Ｎ）のとき、前記回路は、前記ＮビットのＵＣＩを（Ｎ−Ｘ１）ビットに圧縮し、前記ＭビットのＵＣＩを（Ｍ−Ｘ２）ビットのＵＣＩに圧縮し、前記（Ｎ−Ｘ１）ビットのＵＣＩと前記（Ｍ−Ｘ２）ビットのＵＣＩとを多重化し、（Ｘ１＋Ｘ２）＝Ｍ＋Ｎ−Ｐであり、Ｘ１およびＸ２の両方は０以上の整数であり、
Ｐ≦Ｍのとき、前記回路は、前記ＮビットのＵＣＩを（Ｎ−Ｙ１）ビットのＵＣＩに圧縮し、前記ＭビットのＵＣＩを（Ｍ−Ｙ２）ビットのＵＣＩに圧縮し、前記（Ｎ−Ｙ１）ビットのＵＣＩと前記（Ｍ−Ｙ２）ビットのＵＣＩとを多重化し、（Ｙ１＋Ｙ２）＝Ｍ＋Ｎ−Ｐであり、Ｙ１およびＹ２の両方は０より大きい整数である、
請求項１に記載のユーザ装置。
【請求項３】
（Ｍ＋Ｎ）≦Ｑのとき、前記回路は、いかなる圧縮もせずに、前記ＮビットのＵＣＩと前記ＭビットのＵＣＩとを多重化し、
Ｑ＜（Ｍ＋Ｎ）のとき、前記回路は、前記ＮビットのＵＣＩを（Ｎ−Ｚ１）ビットのＵＣＩに圧縮し、前記ＭビットのＵＣＩを（Ｍ−Ｚ２）ビットのＵＣＩに圧縮し、前記（Ｎ−Ｚ１）ビットのＵＣＩと前記（Ｍ−Ｚ２）ビットのＵＣＩとを多重化し、（Ｚ１＋Ｚ２）≧Ｍ＋Ｎ−Ｑであり、Ｚ１およびＺ２の両方は０以上の整数である、
請求項１に記載のユーザ装置。
【請求項４】
前記設定された符号化レートが前記ＵＣＩビットの最大符号化レートであり、Ｑは、前記ＵＣＩビットの前記最大符号化レート、想定されるリソースのサイズ、および想定される変調次数に基づいて算定される、
請求項１に記載のユーザ装置。
【請求項５】
Ｐ＜（Ｍ＋Ｎ）≦Ｑのとき、前記回路は、いかなる圧縮もせずに、前記ＮビットのＵＣＩと前記ＭビットのＵＣＩとを多重化する、
請求項１に記載のユーザ装置。
【請求項６】
第１ＵＣＩに対し前記ＵＣＩビットが使用され、
前記ＵＬグラント後のＤＬ割り当てを考慮した前記第１ＵＣＩの送信符号化レートから、前記ＵＬグラント後のＤＬ割り当てを考慮しない前記第１ＵＣＩの送信符号化レートを差し引いた差が所定の値より高い場合、前記回路は、前記第１ＵＣＩに対し追加のビットを供給するために、ＰＵＳＣＨにおいて、前記第１ＵＣＩよりも低い優先度の第２ＵＣＩのために使われるリソースの割り込みを行う、
請求項１に記載のユーザ装置。
【請求項７】
前記回路は、ＰＵＳＣＨにおいて前記第２ＵＣＩのために使われるリソースを、前記第２ＵＣＩを圧縮するおよび／またはドロップさせることによって割り込みを行い、
前記第２ＵＣＩのドロップは、
前記第２ＵＣＩの前記符号化レートを変えることなく、前記第２ＵＣＩに対する一部のＲＥをドロップさせる、
前記第１ＵＣＩで使用される一部のＲＥを残すために前記第２ＵＣＩの前記符号化レートを変更する、および
前記第２ＵＣＩに対する全てのＲＥをドロップさせる、
のうちの１つを含む、
請求項６に記載のユーザ装置。
【請求項８】
前記第１ＵＣＩは、ハイブリッド自動再送要求の応答確認（ＨＡＲＱ−ＡＣＫ）であり、前記第２ＵＣＩは、チャネル状態情報（ＣＳＩ）である、
請求項６に記載のユーザ装置。
【請求項９】
前記圧縮は、最初に空間領域で行われ、次に周波数領域で行われ、最後に時間領域で行われる、あるいは、最初に空間領域で行われ、次に時間領域で行われ、最後に周波数領域で行われ、これはＲＲＣの設定に基づくか、または規格に規定される、
請求項２〜３および７のいずれか一項に記載のユーザ装置。
【請求項１０】
前記ＵＣＩビットが、ＨＡＲＱ−ＡＣＫ、ＣＳＩパート１、およびＣＳＩパート２のうちの１つに使用され、
ＨＡＲＱ−ＡＣＫ、ＣＳＩパート１、およびＣＳＩパート２の各々に対する前記符号化レートが別々に設定される、
請求項１に記載のユーザ装置。
【請求項１１】
アップリンク（ＵＬ）グラントに示された送信時間間隔（ＴＴＩ）において物理アップリンク共有チャネル（ＰＵＳＣＨ）でユーザ装置から送信されるアップリンク制御情報（ＵＣＩ）ビットを受信する受信機と、
ＵＣＩ多重化ルールに従って前記ＵＣＩビットを復号する回路と、
を含み、
送信の前の前記ＵＣＩビットは、前記ユーザ装置において、基地局からの前記ＵＬグラントの前にダウンリンク（ＤＬ：Ｄｏｗｎｌｉｎｋ）割り当てに基づいて生成されたＵＣＩのビット数Ｍおよび前記ＵＬグラント後のＤＬ割り当てに基づいて生成されたＵＣＩのビット数Ｎと、前記ＵＬグラントに示されたＵＣＩのビット数Ｐ、および／または少なくとも前記ＵＣＩ多重化ルールに従って設定された符号化レートに基づいて算定されたビットの最大数Ｑと、の比較に従って処理され、Ｍ、Ｎ、Ｐ、Ｑの各々は０以上の整数である、
基地局。
【請求項１２】
前記ＵＣＩ多重化ルールに従って、
（Ｍ＋Ｎ）≦Ｐのとき、前記ユーザ装置において、いかなる圧縮もせずに、前記ＮビットのＵＣＩと前記ＭビットのＵＣＩとが多重化され、
Ｍ＜Ｐ＜（Ｍ＋Ｎ）のとき、前記ユーザ装置において、前記ＮビットのＵＣＩは（Ｎ−Ｘ１）ビットのＵＣＩに圧縮され、前記ＭビットのＵＣＩは（Ｍ−Ｘ２）ビットのＵＣＩに圧縮され、前記（Ｎ−Ｘ１）ビットのＵＣＩと前記（Ｍ−Ｘ２）ビットのＵＣＩとが多重化され、（Ｘ１＋Ｘ２）＝Ｍ＋Ｎ−Ｐであり、Ｘ１およびＸ２の両方は０以上の整数であり、
Ｐ≦Ｍのとき、前記ユーザ装置において、前記ＮビットのＵＣＩは（Ｎ−Ｙ１）ビットのＵＣＩに圧縮され、前記ＭビットのＵＣＩは（Ｍ−Ｙ２）ビットのＵＣＩに圧縮され、前記（Ｎ−Ｙ１）ビットのＵＣＩと（前記Ｍ−Ｙ２）ビットのＵＣＩとが多重化され、（Ｙ１＋Ｙ２）＝Ｍ＋Ｎ−Ｐであり、Ｙ１およびＹ２の両方は０より大きい整数である、
請求項１１に記載の基地局。
【請求項１３】
前記ＵＣＩ多重化ルールに従って、
（Ｍ＋Ｎ）≦Ｑのとき、ユーザ装置において、いかなる圧縮もせずに、前記ＮビットのＵＣＩと前記ＭビットのＵＣＩとが多重化され、
Ｑ＜（Ｍ＋Ｎ）のとき、前記ユーザ装置において、前記ＮビットのＵＣＩは（Ｎ−Ｚ１）ビットのＵＣＩに圧縮され、前記ＭビットのＵＣＩは（Ｍ−Ｚ２）ビットのＵＣＩに圧縮され、前記（Ｎ−Ｚ１）ビットのＵＣＩと前記（Ｍ−Ｚ２）ビットのＵＣＩとが多重化され、（Ｚ１＋Ｚ２）≧Ｍ＋Ｎ−Ｑであり、Ｚ１およびＺ２の両方は０以上の整数である、
請求項１１に記載の基地局。
【請求項１４】
Ｐ＜（Ｍ＋Ｎ）≦Ｑのとき、前記ユーザ装置において、前記ＵＣＩ多重化ルールに従って、いかなる圧縮もせずに、前記ＮビットのＵＣＩと前記ＭビットのＵＣＩとが多重化される、
請求項１１に記載の基地局。
【請求項１５】
基地局からのアップリンク（ＵＬ）グラントの前にダウンリンク（ＤＬ）割り当てに基づいて生成されたアップリンク制御情報（ＵＣＩ）のビット数Ｍおよび前記ＵＬグラント後のＤＬ割り当てに基づいて生成されたＵＣＩのビット数Ｎと、前記ＵＬグラントに示されたＵＣＩのビット数Ｐ、および／または少なくとも設定された符号化レートに基づいて算定されたビットの最大数Ｑと、の比較に従って送信対象のＵＣＩビットを処理し、Ｍ、Ｎ、Ｐ、Ｑの各々は０以上の整数である、ステップと、
前記処理されたＵＣＩビットを、物理アップリンク共有チャネル（ＰＵＳＣＨ）において、前記ＵＬグラントに示された送信時間間隔（ＴＴＩ）で前記基地局に送信するステップと、
を含むユーザ装置のための無線通信方法。
【請求項１６】
アップリンク（ＵＬ）グラントに示された送信時間間隔（ＴＴＩ）において物理アップリンク共有チャネル（ＰＵＳＣＨ）でユーザ装置から送信されるアップリンク制御情報（ＵＣＩ）ビットを受信するステップと、
ＵＣＩ多重化ルールに従って前記ＵＣＩビットを復号するステップと、
を含み、
送信の前の前記ＵＣＩビットは、前記ユーザ装置において、基地局からの前記ＵＬグラントの前にダウンリンク（ＤＬ：Ｄｏｗｎｌｉｎｋ）割り当てに基づいて生成されたＵＣＩのビット数Ｍおよび前記ＵＬグラント後のＤＬ割り当てに基づいて生成されたＵＣＩのビット数Ｎと、前記ＵＬグラントに示されたＵＣＩのビット数Ｐ、および／または少なくとも前記ＵＣＩ多重化ルールに従って設定された符号化レートに基づいて算定されたビットの最大数Ｑと、の比較に従って処理され、Ｍ、Ｎ、Ｐ、Ｑの各々は０以上の整数である、
無線通信方法。
【発明の詳細な説明】
【技術分野】
【０００１】
本発明は無線通信の分野に関し、具体的には、ＮＲ（New Radio access technology）における物理アップリンク共有チャネル（ＰＵＳＣＨ：Physical Uplink Shared Channel
）内のアップリンク制御情報（ＵＣＩ：Uplink Control Information）の多重化に関連する、ユーザ装置（ＵＥ：User Equipment）、基地局（ｇＮＢ）、および無線通信の方法に関する。
【背景技術】
【０００２】
当該技術分野で周知のように、ＵＣＩは、ＵＥから基地局（ＢＳ：Base Station）にレポートされ、これは、チャネル品質指標（ＣＱＩ：Channel Quality Indicator）、ランク指示（ＲＩ：Rank Indication）、またはプリコーディング行列指標（ＰＭＩ：Precoding Matrix Indicator）など、ハイブリッド自動再送要求の応答確認（ＨＡＲＱ−ＡＣＫ：Hybrid Automatic Repeat request - Acknowledgement）またはチャネル状態情報（ＣＳＩ：Channel State Information）であってよい。また、ＵＣＩは、物理アップリンク制御チャネル（ＰＵＣＣＨ：Physical Uplink Control Channel）またはＰＵＳＣＨにおいて送信可能である。ＰＵＳＣＨ内においてＵＣＩが送信されているとき、ＵＣＩは、ある程度のデータチャネルのリソースエレメント（ＲＥ：Resource Element）を占有する。また、ＰＵＳＣＨ内のＵＣＩの多重化は、初期のＮＲ標準化フェーズ（Release 15）において協議されているテーマであるが、この課題は完全には解決されていない。
【発明の概要】
【課題を解決するための手段】
【０００３】
非限定の例示的な一実施形態は、ＮＲにおけるＰＵＳＣＨ内のＵＣＩの多重化を円滑にして、ユーザのスループットを増加し、システムのパフォーマンスを改善する。
【０００４】
本開示の第１の一態様において、基地局からのアップリンク（ＵＬ：Uplink）グラントの前にダウンリンク（ＤＬ：Downlink）割り当て（DL assignment(s)）に基づいて生成されたＵＣＩのビット数ＭおよびＵＬグラント後のＤＬ割り当てに基づいて生成されたＵＣＩのビット数Ｎと、ＵＬグラントに示されたＵＣＩのビット数Ｐ、および／または少なくとも設定された符号化レートに基づいて算定されたビットの最大数Ｑと、の比較に従って送信対象のアップリンク制御情報（ＵＣＩ）を処理する回路であって、上記のＭ、Ｎ、Ｐ、Ｑの各々は０以上の整数である、該回路と、処理されたＵＣＩビットを、物理アップリンク共有チャネル（ＰＵＳＣＨ：Physical Uplink Shared Channel）において、ＵＬグラントに示された送信時間間隔（ＴＴＩ：Transmission Time Interval）で基地局に送信する送信機と、を含むユーザ装置が提供される。
【０００５】
本開示の第２の一態様において、物理アップリンク共有チャネル（ＰＵＳＣＨ）において、アップリンク（ＵＬ）グラントに示された送信時間間隔（ＴＴＩ）でユーザ装置から送信されるアップリンク制御情報（ＵＣＩ）のビットを受信する受信機と、ＵＣＩ多重化ルールに従ってＵＣＩビットを復号する回路と、を含む基地局が提供され、これら送信の前のＵＣＩビットは、ユーザ装置において、基地局からのＵＬグラントの前にダウンリンク（ＤＬ：Downlink）割り当てに基づいて生成されたＵＣＩのビット数ＭおよびＵＬグラント後のＤＬ割り当てに基づいて生成されたＵＣＩのビット数Ｎと、ＵＬグラントに示されたＵＣＩのビット数Ｐ、および／または少なくともＵＣＩ多重化ルールに従って設定された符号化レートに基づいて算定されたビットの最大数Ｑと、の比較に従って処理され、上記のＭ、Ｎ、Ｐ、Ｑの各々は０以上の整数である。
【０００６】
本開示の第３の一態様において、ユーザ装置のための無線通信方法が提供され、該方法は、基地局からのアップリンク（ＵＬ）グラントの前にダウンリンク（ＤＬ）割り当てに基づいて生成されたＵＣＩのビット数ＭおよびＵＬグラント後のＤＬ割り当てに基づいて生成されたＵＣＩのビット数Ｎと、ＵＬグラントに示されたＵＣＩのビット数Ｐ、および／または少なくとも設定された符号化レートに基づいて算定されたビットの最大数Ｑと、の比較に従って送信対象のアップリンク制御情報（ＵＣＩ）を処理するステップであって、上記のＭ、Ｎ、Ｐ、Ｑの各々は０以上の整数である、該処理するステップと、処理されたＵＣＩビットを、物理アップリンク共有チャネル（ＰＵＳＣＨ）において、ＵＬグラントに示された送信時間間隔（ＴＴＩ）で基地局に送信するステップと、を含む。
【０００７】
本開示の第４の一態様において、基地局のための無線通信方法が提供され、該方法は、物理アップリンク共有チャネル（ＰＵＳＣＨ）において、アップリンク（ＵＬ）グラントに示された送信時間間隔（ＴＴＩ）でユーザ装置から送信されるアップリンク制御情報（ＵＣＩ）のビットを受信するステップと、ＵＣＩ多重化ルールに従ってＵＣＩビットを復号するステップとを含み、これら送信の前のＵＣＩビットは、ユーザ装置において、基地局からのＵＬグラントの前にダウンリンク（ＤＬ：Ｄｏｗｎｌｉｎｋ）割り当てに基づいて生成されたＵＣＩのビット数ＭおよびＵＬグラント後のＤＬ割り当てに基づいて生成されたＵＣＩのビット数Ｎと、ＵＬグラントに示されたＵＣＩのビット数Ｐ、および／または少なくともＵＣＩ多重化ルールに従って設定された符号化レートに基づいて算定されたビットの最大数Ｑと、の比較に従って処理され、上記のＭ、Ｎ、Ｐ、Ｑの各々は０以上の整数である。
【０００８】
なお、これらの包括的または具体的な態様は、システム、方法、集積回路、コンピュータプログラム、または、記録媒体で実現されてもよく、システム、方法、集積回路、コンピュータプログラムおよび記録媒体の任意な組み合わせで実現されてもよい。
【０００９】
本開示の一実施例における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【００１０】
本開示の前述のまたは他の特徴は、以下の説明および特許請求の範囲を添付の図面と併せ読取ることによってさらに十分に明らかとなろう。これらの図面が、本開示によるいくつかの実施形態だけを表しており、したがって、本開示の範囲を限定することは考慮されていないことを理解した上で、添付の図面の使用を介して、さらなる具体性および詳細さで本開示を説明することとする。
【図面の簡単な説明】
【００１１】
【図１】ＮＲにおけるＰＵＳＣＨにおけるＵＣＩ多重化の例示的なシナリオを概略的に示す。
【図２】本開示の一実施形態によるユーザ装置の一部のブロック図を示す。
【図３】ＮＲにおける基地局からのＵＬグラント内のダウンリンク割り当てインジケータ（ＤＡＩ：Downlink Assignment Indicator）をカウントするための１つのオプションを概略的に示す。
【図４】ＮＲにおける基地局からのＵＬグラント内のＤＡＩをカウントするための別のオプションを概略的に示す。
【図５】本開示の一実施形態による、基地局の一部のブロック図を示す。
【図６】本開示の一実施形態による、ユーザ装置の細部のブロック図を示す。
【図７】本開示の一実施形態による、基地局の細部のブロック図を示す。
【図８】本開示の一実施形態による、基地局とユーザ装置との間の通信のフローチャートの一例を概略的に示す。
【図９】本開示の一実施形態による、ユーザ装置のための無線通信方法のフローチャートを示す。
【図１０】本開示の一実施形態による、基地局のための無線通信方法のフローチャートを示す。
【発明を実施するための形態】
【００１２】
以降の詳細な説明では、添付の諸図面を参照し、これらは本明細書の一部を形成する。これら図面において、通常、文脈が別途に指定する場合を除き、同様な符号は同様なコンポーネントを識別する。当然のことながら、本開示の諸態様は、幅広く多様な構成で、配置、置き換え、組み合わせ、および設計することができ、それらの全ては、本開示の部分を構成すると明示で意図されている。
【００１３】
前述したように、ＰＵＳＣＨ内のＵＣＩの多重化は、ＮＲ（例えば、Release 15）に採用されている。図１は、ＮＲにおけるＰＵＳＣＨ内のＵＣＩ多重化の例示的なシナリオを概略的に示す。図１において、右向きの軸は時間軸を表し、その上にいくつかの送信時間間隔（ＴＴＩ）が示されており、左向きスラッシュで充填されたブロックは、基地局（ｇＮＢ）からのダウンリンク（ＤＬ）割り当てを表し、右向きスラッシュで充填されたブロックは、基地局からのＵＬグラントを表し、点で充填されたブロックはＵＥから基地局へのＰＵＳＣＨ送信を表す。ここで、ｇＮＢとは、ＮＲユーザプレーンおよび制御プレーンのユーザに向けたプロトコル終端部を備え、ＮＧインターフェースを介して５Ｇのコア（５ＧＣ：5G Core）に連結されたノードである。
【００１４】
さらに具体的には、図１に示されるように、ＵＬグラントがＵＥによってＴＴＩ＃４で基地局から受信されている。ＵＬグラントの中の指示から、ＵＥは、ＰＵＳＣＨに対する送信タイミングを判断できる。例えば、図１に示されるように、このＵＬグラントは、ＴＴＩ＃８がＰＵＳＣＨに対する送信タイミングであることを示している、すなわち、ＵＥはＴＴＩ＃８でＰＵＳＣＨ送信を行うことになる。
【００１５】
さらに、ＵＣＩビットも、ＰＵＳＣＨにおけるＵＣＩの多重化によって、ＴＴＩ＃８で送信されることになる。また、ＵＥによってＴＴＩ＃４で受信されたＵＬグラントは、必要なＵＣＩリソースを計算するために使われるダウンリンク割り当てインジケータ（ＤＡＩ）も示すことができる。説明を容易にするために、図１中のＵＣＩの例としてＨＡＲＱ−ＡＣＫを取り上げる。ＮＲで既に合意されているように、ＵＬグラントが受信される前に、ＴＴＩ＃１〜３で受信されたＤＬ割り当て１〜３に対するＨＡＲＱのビットは、ＴＴＩ＃８においてＰＵＳＣＨで多重化される。原則として、ＤＡＩにより示されたＨＡＲＱのビット数は、例えばＤＬ割り当て１〜３に対して実際に生成されたＨＡＲＱのビットの数より大きくても小さくてもよい。
【００１６】
さらに、ＮＲ合意に基づけば、スロットベースのスケジューリングについて、２より多いビットを持つＨＡＲＱ−ＡＣＫに対し、ＰＵＳＣＨはレートマッチングされ、一方、２ビットまでのＨＡＲＱ−ＡＣＫに対しては、ＰＵＳＣＨはパンクチャ（puncture）される。
【００１７】
図１に示されるように、ＤＬ割り当て１〜３に加え、ＵＬグラントが受信された後、ＴＴＩ＃５〜６で受信されるＤＬ割り当て４〜５があり、また、ＤＬ割り当て４〜５に対するＨＡＲＱのビットも基地局に送信する必要があるが、Release 15のＮＲでは取り扱われないことになり、すなわち、これらをどう取り扱うかは、現在のＮＲではまだ不明瞭である。さらに、ＵＬグラントに（例えば、ＤＡＩに関し）示されているＨＡＲＱ−ＡＣＫのビットは、ＵＬグラントの前と後とのＤＬ割り当てに対する全てのフィードバックビットをカバーするためには正確でない可能性がある。したがって、ＮＲにおけるＵＬグラントの後のＤＬ割り当て（例えば、ＤＬ割り当て４および５）に対して生成されるＨＡＲＱ−ＡＣＫのビットを取り扱うため、何らかのルールが必要とされる。
【００１８】
上記の見地から、本開示の一実施形態において、図２に示されるようなユーザ装置が提供される。図２は、本開示の一実施形態によるユーザ装置２００の一部のブロック図を示す。図２に示されるように、ＵＥ２００は、回路２１０および送信機２２０を含むことができる。回路２１０は、基地局からのアップリンク（ＵＬ）グラントの前のダウンリンク（ＤＬ）割り当てに基づいて生成されたアップリンク制御情報（ＵＣＩ）のビット数ＭおよびＵＬグラント後のＤＬ割り当てに基づいて生成されたＵＣＩのビット数Ｎと、ＵＬグラントに示されたＵＣＩのビット数Ｐ、および／または少なくとも設定された符号化レートに基づいて算定されたビットの最大数Ｑと、の比較に従って送信対象のＵＣＩビットを処理し、上記のＭ、Ｎ、Ｐ、Ｑの各々は、０以上の整数である。送信機２２０は、処理されたＵＣＩビットを、物理アップリンク共有チャネル（ＰＵＳＣＨ）で、ＵＬグラントに示された送信時間間隔（ＴＴＩ）で基地局に送信する。
【００１９】
具体的に、図１を例としてさらに取り上げると、Ｍは、ＤＬ割り当て１〜３に基づいて実際に生成されたＵＣＩビット（例えば、ＨＡＲＱのビット）の数を意味してよく、Ｎは、ＤＬ割り当て４〜５に基づいて実際に生成されたＵＣＩビット（例えば、ＨＡＲＱのビット）の数を意味してよく、Ｐは、（図１で右向きスラッシュで充填されたブロックで示されている）ＵＬグラントに（例えば、ＤＡＩによって）示されるＵＣＩビット数を意味してよい。Ｑは、ＵＣＩに対するビットの最大数を意味し、設定された符号化レートおよび他のファクタに基づいて計算することが可能で、これについては後記で詳しく説明することとする。
【００２０】
ＰＵＳＣＨにおいてＵＣＩビットを送信する前に、回路２１０は、ＭおよびＮと、Ｐとの比較、ＭおよびＮと、Ｑとの比較、または、ＭおよびＮと、ＰおよびＱとの比較にしたがって、これらＵＣＩビットを処理する。次いで、送信機２２０は、回路２１０によって処理されたＵＣＩビットを、ＰＵＳＣＨにおいて、例えば図１中のＴＴＩ＃８において基地局に送信する。
【００２１】
当然のことながら、ＵＬグラント後のＤＬ割り当てとは、ＵＥによってＵＬグラントが受信された後、ＰＵＳＣＨ送信の送信タイミング（例えば、ＴＴＩ＃８）の前にＵＥによって受信されたＤＬ割り当て（例えば、ＤＬ割り当て４〜５）を意味する。
【００２２】
さらに、ＵＬグラント前のＤＬ割り当てとは、ＵＬグラントがＵＥによって受信される前に、ＵＥによって受信されたＤＬ割り当て（例えば、ＤＬ割り当て１〜３）を意味する。言い換えれば、ＵＬグラント前のＤＬ割り当ては、ＵＬグラント受信のタイミング（例えば、ＴＴＩ＃４）の前の時間窓においてＵＥによって受信されたＤＬ割り当てに相当し得る。この時間窓のサイズは、基地局によって、例えばＲＲＣシグナリングを介して動的に設定することが可能である。あるいは、時間窓のサイズは、事前に定義するかまたは規格に規定してもよい。また、この時間窓のサイズは制限なしであってもよい。当業者には当然のことながら、この時間窓のサイズは具体的な要件によって決めてよい。
【００２３】
図２に示されたユーザ装置２００について、基地局からのＵＬグラントの後のＤＬ割り当てに基づくＵＣＩビットが考慮され、ＵＬグラントの前のＤＬ割り当てに基づくＵＣＩビットとＰＵＳＣＨにおいて送信される。したがって、ユーザのスループットが増加でき、システムパフォーマンスを向上することができる。
【００２４】
本開示の一実施形態によれば、図２に示されたＵＥ２００において、（Ｍ＋Ｎ）≦Ｐのとき、回路２１０は、いかなる圧縮（bundle）もせずに、ＮビットのUCIとＭビットのUCIを多重化し、Ｍ＜Ｐ＜（Ｍ＋Ｎ）のとき、回路２１０は、ＮビットのUCIを（Ｎ−Ｘ１）ビットのUCIに圧縮し、ＭビットのUCIを（Ｍ−Ｘ２）ビットのUCIに圧縮し、次いで（Ｎ−Ｘ１）ビットのUCIと（Ｍ−Ｘ２）ビットのUCIとを多重化し、上記において（Ｘ１＋Ｘ２）＝Ｍ＋Ｎ−Ｐであり、Ｘ１およびＸ２の両方は０以上の整数であり、また、Ｐ≦Ｍのとき、回路２１０は、ＮビットのUCIを（Ｎ−Ｙ１）ビットのUCIに圧縮し、ＭビットのUCIを（Ｍ−Ｙ２）ビットのUCIに圧縮し、次いで（Ｎ−Ｙ１）ビットのUCIと（Ｍ−Ｙ２）ビットのUCIとを多重化し、上記において（Ｙ１＋Ｙ２）＝Ｍ＋Ｎ−Ｐであり、Ｙ１およびＹ２の両方は０以上の整数である。
【００２５】
具体的に、この実施形態において、回路２１０は、送信対象のＵＣＩビットを、ＭおよびＮと、Ｐと、の比較に従って処理する。これは、例えば、ＭおよびＮと、Ｐと、の比較に従って以下の３つのケースに分けることができる。説明を容易にするために、例として、ＵＣＩの例としてさらにＨＡＲＱ−ＡＣＫを取り上げる。
【００２６】
（Ｍ＋Ｎ）≦Ｐのケース１、すなわち、ＵＬグラント前のＤＬ割り当てに対応するＨＡＲＱ−ＡＣＫのＭビット、および、ＵＬグラント後のＤＬ割り当てに対応するＨＡＲＱ−ＡＣＫのＮビットの両方を送信するために十分なリソースがＰＵＳＣＨ内にあるケースに対しては、いかなる圧縮もせずに、ＨＡＲＱ−ＡＣＫのＭビットとＨＡＲＱ−ＡＣＫのＮビットとが多重化可能である。例えば、ＨＡＲＱ−ＡＣＫのＭビットが「０１」であり、ＨＡＲＱ−ＡＣＫのＮビットが１０であると仮定すれば、これらは直接「０１１０」として多重化され、ＰＵＳＣＨにおいて送信されてよい。
【００２７】
Ｍ＜Ｐ＜（Ｍ＋Ｎ）のケース２、すなわち、ＵＬグラント前のＤＬ割り当てに対応するＨＡＲＱ−ＡＣＫのＭビットを送信するのに十分であるが、ＵＬグラント前のＤＬ割り当てに対応するＨＡＲＱ−ＡＣＫのＭビット、およびＵＬグラント後のＤＬ割り当てに対応するＨＡＲＱ−ＡＣＫのＮビットの両方を送信するのに十分なリソースがないケースに対しては、実際に生成されたＨＡＲＱ−ＡＣＫのビットの合計数「Ｍ＋Ｎ」を削減する何らかのオペレーションが必要となる。
【００２８】
実際に生成されたＨＡＲＱ−ＡＣＫのビットの合計数「Ｍ＋Ｎ」を削減するためのケース２に対する第１オプションは、ＵＬグラント前のＤＬ割り当てに対応するＨＡＲＱ−ＡＣＫのＭビットをそのまま維持しながら、ＵＬグラント後のＤＬ割り当てに対応するＨＡＲＱ−ＡＣＫのビットの数Ｎを削減することである。このケースでは、ＨＡＲＱ−ＡＣＫのＮビットは、Ｘ１は０より大きい整数としＸ２は０として、（Ｎ−Ｘ１）に圧縮される。その後、ＨＡＲＱ−ＡＣＫのこの（Ｎ−Ｘ１）ビットが、ＨＡＲＱ−ＡＣＫのＭビットと多重化される。当該技術分野で周知のように、この圧縮はＡＮＤ演算を意味する。例えば、ＨＡＲＱ−ＡＣＫのＭビットが「１０１１１１」（すなわちＭ＝６）であり、ＨＡＲＱ−ＡＣＫのＮビットが「０１０１」（すなわちＮ＝４）であり、Ｐ＝８、すなわち、ＰＵＳＣＨにおいてＨＡＲＱ−ＡＣＫを送信するために８ビットのみが使えると仮定する。ケース２に対する第１オプションによれば、Ｘ１＝Ｍ＋Ｎ−Ｐ＝６＋４−８＝２、すなわち、圧縮によってＨＡＲＱ−ＡＣＫのＮビットを２つ削減する必要がある。例えば、「０１０１」は「００」に圧縮され、この圧縮では、第１ビット「０」と第２ビット「１」との間でＡＮＤ演算が行われ「０」が得られ、第３ビット「０」と第４ビット「１」との間でＡＮＤ演算が行われ「０」が得られる。次いで、圧縮後に得られた「００」が「１０１１１１」とともに「１０１１１１００」として直接に多重化される。
【００２９】
ケース２に対するこの第１オプションは実際に生成されたＨＡＲＱ−ＡＣＫのビットの合計数「Ｍ＋Ｎ」を削減する単なる一例であって、本開示はこれに限定されない。実際に生成されたＨＡＲＱ−ＡＣＫのビットの合計数「Ｍ＋Ｎ」を削減するためのケース２に対する第２オプションは、ＵＬグラント後のＤＬ割り当てに対応するＨＡＲＱ−ＡＣＫのＮビットをそのまま維持しながら、ＵＬグラント前のＤＬ割り当てに対応するＨＡＲＱ−ＡＣＫのビットの数Ｍを削減することである。このケースでは、ＨＡＲＱ−ＡＣＫのＭビットは、Ｘ２は０より大きい整数としＸ１は０として、（Ｍ−Ｘ２）に圧縮される。その後、ＨＡＲＱ−ＡＣＫのこの（Ｍ−Ｘ２）ビットが、ＨＡＲＱ−ＡＣＫのＮビットと多重化される。例えば、これも同様に、ＨＡＲＱ−ＡＣＫのＭビットが「１０１１１１」（すなわちＭ＝６）であり、ＨＡＲＱ−ＡＣＫのＮビットが「０１０１」（すなわちＮ＝４）であり、Ｐ＝８、すなわち、ＰＵＳＣＨにおいてＨＡＲＱ−ＡＣＫを送信するために８ビットのみが使えると仮定する。ケース２に対する第２オプションによれば、Ｘ２＝Ｍ＋Ｎ−Ｐ＝６＋４−８＝２、すなわち圧縮によってＨＡＲＱ−ＡＣＫのＭビットを２つ削減する必要がある。例えば、「１０１１１１」は「０１１１」に圧縮され、この圧縮では、第１ビット「１」と第２ビット「０」との間でＡＮＤ演算が行われ「０」が得られ、第３ビット「１」と第４ビット「１」との間でＡＮＤ演算が行われ「１」が得られる。次いで、圧縮後に得られた「０１１１」が「０１０１」とともに「０１１１０１０１」として直接に多重化される。
【００３０】
このケースに対する上記の第１および第２オプションに加え、これら２つのオプションの間での何らかの中間的ソリューションがあってよい。具体的に、ＨＡＲＱ−ＡＣＫのビットの実際に生成された合計数「Ｍ＋Ｎ」を削減するためのケース２に対する第３オプションは、ＵＬグラント後のＤＬ割り当てに対応するＨＡＲＱ−ＡＣＫのビット数Ｎ、およびＵＬグラント前のＤＬ割り当てに対応するＨＡＲＱ−ＡＣＫのビット数Ｍの両方を削減することである。さらに具体的には、ＨＡＲＱ−ＡＣＫのＮビットは（Ｎ−Ｘ１）ビットに圧縮され、ＨＡＲＱ−ＡＣＫのＭビットは（Ｍ−Ｘ２）ビットに圧縮され、このＸ１およびＸ２を０より大きい整数として、Ｘ１＋Ｘ２＝Ｍ＋Ｎ−Ｐである。次いで、（Ｎ−Ｘ１）ビットのUCIと（Ｍ−Ｘ２）ビットのUCIとが直接に多重化される。例えば、これも同様に、ＨＡＲＱ−ＡＣＫのＭビットが「１０１１１１」（すなわちＭ＝６）であり、ＨＡＲＱ−ＡＣＫのＮビットが「０１０１」（すなわちＮ＝４）であり、Ｐ＝８、すなわち、ＰＵＳＣＨにおいてＨＡＲＱ−ＡＣＫを送信するために８ビットのみが使えると仮定する。ケース２に対する第３オプションによれば、Ｘ１＋Ｘ２＝６＋４−８＝２であり、Ｘ１＝Ｘ２＝１となる。「１０１１１１」は「０１１１１」に圧縮でき、この圧縮では、第１ビット「０」と第２ビット「１」との間でＡＮＤ演算が行われ「０」が得られる。さらに、「０１０１」は「００１」に圧縮可能であり、この圧縮では、第１ビット「０」と第２ビット「１」との間でＡＮＤ演算が行われ「０」が得られる。次いで、それぞれ圧縮後に得られた「０１１１１」および「００１」が「０１１１１００１」として直接に多重化される。
【００３１】
Ｐ≦Ｍであるケース３については、すなわち、Ｎが０より大きいときのＵＬグラント前のＤＬ割り当てに対応するＨＡＲＱ−ＡＣＫのＭビットおよびＵＬグラント後のＤＬ割り当てに対応するＨＡＲＱ−ＡＣＫのＮビットの両方を送信するために十分なリソースがない。このケースでは、前述したケース２に対する第３オプションのように、ＵＬグラント後のＤＬ割り当てに対応するＨＡＲＱ−ＡＣＫのビット数Ｎ、およびＵＬグラント前のＤＬ割り当てに対応するＨＡＲＱ−ＡＣＫのビット数Ｍが圧縮によって削減される必要がある。さらに具体的には、ＨＡＲＱ−ＡＣＫのＮビットは（Ｎ−Ｙ１）ビットに圧縮され、ＨＡＲＱ−ＡＣＫのＭビットは（Ｍ−Ｙ２）ビットに圧縮される。次いで、この（Ｎ−Ｙ１）ビットおよび（Ｍ−Ｙ２）ビットは直接に多重化され、上記のＹ１およびＹ２は０より大きい整数で、Ｙ１＋Ｙ２＝Ｍ＋Ｎ−Ｐである。このケースのオペレーションの原理はケース２の第３オプションと同様なので、冗長さを避けるためにここではこれ以上の例を説明しないこととする。
【００３２】
なお、上記のケース３は、ネットワークのオペレーションに基づいて行えばよい。リソースを満たし符号化レートを最大化するために、ＭビットのUCIのさらなる圧縮を行ってもよい。
【００３３】
上記実施形態において、回路２１０は、ＭおよびＮと、Ｐと、の比較に従ってＵＣＩビットを処理しているが、本開示はこれに限定されない。
【００３４】
本開示の一実施形態によれば、図２に示すＵＥ２００において、（Ｍ＋Ｎ）≦Ｑのとき、回路２１０は、いかなる圧縮もせずに、ＮビットのUCIとＭビットのUCIとを多重化し、また、Ｑ＜（Ｍ＋Ｎ）のとき、回路２１０は、ＮビットのUCIを（Ｎ−Ｚ１）ビットのUCIに圧縮し、ＭビットのUCIを（Ｍ−Ｚ２）ビットのUCIに圧縮し、この（Ｎ−Ｚ１）ビットのUCIと（Ｍ−Ｚ２）ビットのUCIとを多重化し、上記において（Ｚ１＋Ｚ２）≧Ｍ＋Ｎ−Ｑであり、Ｚ１およびＺ２の両方は０以上の整数である。
【００３５】
具体的に、この実施形態において、回路２１０は、ＭおよびＮと、Ｐの代わりにＱと、の比較に従って送信対象のＵＣＩビットを処理する。この実施形態は、ＭおよびＮと、Ｑと、の比較に従って、例えば、以下の２つのケースに分けることができる。説明を容易にするために、ＵＣＩの例として、さらにＨＡＲＱ−ＡＣＫを取り上げる。
【００３６】
（Ｍ＋Ｎ）≦Ｑであるケース１、すなわち、ＵＬグラント前のＤＬ割り当てに対応するＨＡＲＱ−ＡＣＫのＭビット、およびＵＬグラント後のＤＬ割り当てに対応するＨＡＲＱ−ＡＣＫのＮビットの両方を送信するのに十分なリソースがあるケースに対しては、いかなる圧縮もせずに、ＨＡＲＱ−ＡＣＫのＭビットとＨＡＲＱ−ＡＣＫのＮビットとが、多重化されてよい。このケースは、前述の実施形態に対するケース１と同様であり、冗長さを避けるために、これ以上の例は説明しないこととする。
【００３７】
Ｑ＜（Ｍ＋Ｎ）であるケース２、すなわち、ＵＬグラント前のＤＬ割り当てに対応するＨＡＲＱ−ＡＣＫのＭビット、およびＵＬグラント後のＤＬ割り当てに対応するＨＡＲＱ−ＡＣＫのＮビットの両方を送信するのに十分なリソースがないケースに対しては、実際に生成されたＨＡＲＱ−ＡＣＫのビットの合計数「Ｍ＋Ｎ」はＱを上回らないように削減される必要がある。したがって、Ｑの値に基づいて、ＵＬグラント後のＤＬ割り当てに対応するＨＡＲＱ−ＡＣＫのビット数Ｎ、およびＵＬグラント前のＤＬ割り当てに対応するＨＡＲＱ−ＡＣＫのビット数Ｍの一方または両方は圧縮によって削減される必要がある。さらに具体的には、ＨＡＲＱ−ＡＣＫのＮビットは（Ｎ−Ｚ１）に圧縮され、ＨＡＲＱ−ＡＣＫのＭビットは（Ｍ−Ｚ２）に圧縮される。次いで、この（Ｎ−Ｚ１）ビットおよび（Ｍ−Ｚ２）ビットが直接に多重化される。上記においてＺ１＋Ｚ２≧Ｍ＋Ｎ−Ｑであり、Ｚ１およびＺ２の両方は０より大きい整数である。このケースは、ＭおよびＮと、Ｐとを比較する前述の実施形態でのケース２とケース３との組み合わせと同様である。このケースにおけるオペレーションの原理は、前述の実施形態に対するケース２およびケース３におけるものと同様なので、冗長さを避けるためにここではこれ以上の例を説明しないこととする。
【００３８】
一般に、ＵＬグラントに示されるＵＣＩのビット数Ｐは、設定された符号化レートに基づき算定される最大ビット数Ｑよりも小さい。ＭおよびＮと、Ｐの代わりにＱと、の比較に従ってＵＣＩビットを処理するこの実施形態は、リソースの利用が乏しいケースに対応することが可能である。
【００３９】
本開示の一実施形態によれば、設定された符号化レートはＵＣＩビットの最大符号化レートであり、Ｑは、このＵＣＩビットの最大符号化レート、想定されるリソースのサイズ、および想定される変調次数に基づいて算定される。
【００４０】
具体的に、Ｑの計算は、３つのファクタ、すなわち最大符号化レート、想定されるリソースのサイズ、および想定される変調次数に基づいてよい。
【００４１】
さらに具体的には、本開示の一実施形態によれば、想定されるリソースのサイズは、参照信号（ＲＳ：Reference Signal）に対するリソースエレメント（ＲＥ：Resource Element）を除いた、割り当てられた全体のＰＵＳＣＨリソースであり、ＵＬ割り当てに対するダウンリンク制御情報内の指示および準静的な構成に基づいて算定され、または準静的な構成のみに基づいて算定される。
【００４２】
さらに、本開示の一実施形態によれば、想定される変調次数は、ＰＵＳＣＨのものと同じである。
【００４３】
理解のための便宜上、Ｑの計算を説明するために以下にいくつかの例を挙げる。
【００４４】
前述したように、想定されるリソースサイズに対するオプション１は、ＲＳのＲＥを除いた、割り当てられた全体のＰＵＳＣＨリソースである。一例は、ｇＮＢ（基地局）が６つの物理リソースブロック（ＰＲＢ：Physical Resource Block）を割り当て、各ＰＲＢが１２０のＲＥ（ＲＳのＲＥを除く）を有し、これにより合計６×１２０＝７２０のＲＥがあるようにすることである。最大符号化レートが０．１であり、変調次数が１６ＱＡＭ（ＰＵＳＣＨのものと同じ）と仮定すれば、サポートされるビットの最大数Ｑは、このケースでは、７２０×０．１×４＝２８８ビットとなる。
【００４５】
前述したように、想定されるリソースサイズに対するオプション２は、ＵＬ割り当てに対するダウンリンク制御情報（ＤＣＩ：Downlink Control Information）内の指示、および準静的設定（例えば、無線リソース制御（ＲＲＣ：Radio Resource Control））に基づくことであり、これは、例えば、ベータファクタオフセットフィールドがＤＣＩで利用可能なケースと同じである。さらに具体的には、１つのリソースサイズが、ＲＲＣによって与えられるリソースサイズ（指標）の範囲からＤＣＩによって選択される。例えば、割り当てられたＰＵＳＣＨが７２０ＲＥ（６つのＰＲＢ）であると仮定すれば、ベータファクタのオフセットは、ＲＲＣによって｛０．１、０．２、０．５、１．０｝として設定され、ＤＣＩは、これから第１指標（０．１）を指示し、想定されるリソースサイズは７２０×０．１＝７２となる。オプション１における符号化レートおよび変調次数（１６ＱＡＭ）と同じ仮定に基づけば、このケースでは、サポートされるビットの最大数Ｑは、７２０×０．１×０．１×４＝２９となる。
【００４６】
前述したように、想定されるリソースサイズに対するオプション３は、準静的設定（例えば、ＲＲＣ）のみに基づいており、これは、例えば、リソース算定のフォールバックＤＣＩのケースと同じである。さらに具体的には、このケースでは、リソースサイズは、ＤＣＩの指示なしにＲＲＣのみによって算定される。例えば、ベータ値は、ＲＲＣによって、例えば０．１として示され、ＤＣＩからの追加の指示はない。オプション２の割り当てられたＰＵＳＣＨ（７２０のＲＥ）、最大符号化レート（０．１）、および変調次数（１６ＱＡＭ）に対する同じ仮定に基づけば、サポートされるビットの最大数Ｑは、このケースでは、７２０×０．１×０．１×４＝２９ビットとなる。
【００４７】
本開示の一実施形態によれば、ＵＣＩビットの最大符号化レートは、ＰＵＳＣＨのＵＣＩの多重化と物理アップリンク制御チャネル（ＰＵＣＣＨ）の多重化とに対して別々に設定されるが、ＰＵＳＣＨおよびＰＵＣＣＨに対する無線リソース制御（ＲＲＣ）パラメータセットは共通である。
【００４８】
具体的に、ＵＣＩの例としてＨＡＲＱ−ＡＣＫを挙げれば、ＨＡＲＱ−ＡＣＫのビットの最大符号化レートは、ＰＵＳＣＨのＵＣＩ多重化とＰＵＣＣＨのＵＣＩ多重化とに対して別々に設定されるが、ＰＵＣＣＨのＵＣＩ多重化のため使用されるＲＲＣパラメータは、ＰＵＳＣＨのＵＣＩ多重化のために再使用してもよい。例えば、符号化レートに対するＲＲＣパラメータセット｛０．１、０．２、０．３、０．４｝は、ＰＵＳＣＨおよびＰＵＣＣＨに対し共通にできるが、ＰＵＳＣＨに対しこのセット内の０．１が設定されてよく、一方、ＰＵＣＣＨに対しては、このセット内の０．２が設定されてよい。
【００４９】
前述の諸実施形態において、回路２１０は、ＭおよびＮと、Ｐと、の比較、またはＭおよびＮと、Ｑと、の比較に従ってＵＣＩビットを処理するが、本開示はこれに限定されない。
【００５０】
本開示の一実施形態によれば、図２に示されたＵＥ２００において、Ｐ＜（Ｍ＋Ｎ）≦Ｑのとき、回路２１０は、いかなる圧縮もせずに、ＮビットのＵＣＩとＭビットのＵＣＩとを多重化する。
【００５１】
具体的に、この実施形態において、ＵＣＩビットは、Ｍ、Ｎ、Ｐ、およびＱの全てに基づいて処理される。前述したように、一般に、ＰはＱよりも小さい。当然のことながら、（Ｍ＋Ｎ）≦Ｐ、すなわち、指示された「Ｐ」が、ＵＣＩビットの全てを搬送するのに十分であるとき、回路２１０が送信対象ビットをＭおよびＮと、Ｐと、の比較に従って処理する実施形態のケース１のように、ＮビットのＵＣＩとＭビットのＵＣＩとは、いかなる圧縮もせずに直接に多重化されてよい。冗長さを避けるために、ここではこの詳細は説明しないこととする。
【００５２】
回路２１０が送信対象のＵＣＩビットをＭおよびＮと、Ｐと、の比較に従って処理する実施形態のケース２または３とは違って、本実施形態では、Ｐ＜（Ｍ＋Ｎ）、すなわち、指示された「Ｐ」が全てのＵＣＩビットを搬送するのに十分ではないとき、ＮビットのＵＣＩおよび／またはＭビットのＵＣＩに圧縮を行う必要はない。代わりに、ＭおよびＮと、Ｑとのさらなる比較が行われることになり、（Ｍ＋Ｎ）≦Ｑであれば、いかなる圧縮もせずに、ＮビットのＵＣＩとＭビットのＵＣＩとは直接に多重化される。
【００５３】
本実施形態において、ＵＥは、最大符号化レートから得られた追加のリソース（ビット）を利用できる。これにより、基地局でのＵＣＩビットの復号の精度を向上可能である。
【００５４】
本開示の一実施形態によれば、図２に示されたＵＥ２００において、第１ＵＣＩに対しＵＣＩビットが使用され、ＵＬグラント後のＤＬ割り当てを考慮した第１ＵＣＩの送信符号化レートからＵＬグラント後のＤＬ割り当てを考慮しない第１ＵＣＩの送信符号化レートを差し引いた差が所定の値より高いとき、回路２１０は、第１ＵＣＩに対し追加のビットを供給するために、ＰＵＳＣＨにおいて第１ＵＣＩよりも低い優先度の第２ＵＣＩのために使われるリソースの割り込み（pre-emption）を行う。
【００５５】
具体的に、ＵＬグラント後のＤＬ割り当てを考慮した第１ＵＣＩの送信符号化レートからＵＬグラント後のＤＬ割り当てを考慮しない第１ＵＣＩの送信符号化レートを差し引いた差が所定の値より高いことは、第１ＵＣＩについてＵＬグラント後のＤＬ割り当てに対応するＵＣＩビットをさらに考慮した場合、ＰＵＳＣＨ内に、第１ＵＣＩに対し、ＵＬグラント前のＤＬ割り当てに対応するＵＣＩビットおよびＵＬグラント後のＤＬ割り当てに対応するＵＣＩビットの両方を送信するのに十分なリソースがないことを意味する。上記実施形態のように第１ＵＣＩ自体に対するＵＣＩビットの一部を圧縮するのに加え、別のオプションは、第１ＵＣＩよりも低い優先度のＵＣＩがあれば、第１ＵＣＩ以外のＵＣＩのために使われているリソースの割り込みを行うことである。すなわち、より高い優先度のＵＣＩのＵＣＩビットが圧縮されないことが確かになるように、より高い優先度のＵＣＩに対し追加のリソース（ビット）を与えるため、ＰＵＳＣＨ内のより低い優先度のＵＣＩ用に意図されていたリソースの割り込みを行う。
【００５６】
本開示の一実施形態によれば、この第１ＵＣＩはハイブリッド自動再送要求の応答確認（ＨＡＲＱ−ＡＣＫ）であり、第２ＵＣＩは、チャネル状態情報（ＣＳＩ）である。
【００５７】
具体的に、第１ＵＣＩがＨＡＲＱ−ＡＣＫであり、第２ＵＣＩがＣＳＩであると仮定する。ＨＡＲＱ−ＡＣＫの優先度は、ＣＳＩの優先度よりも高いので、ＰＵＳＣＨにおいてＣＳＩ用に意図されていたリソースは、ＨＡＲＱ−ＡＣＫのビットに使用するために割り込みを行うことが可能である。
【００５８】
なお、ＨＡＲＱ−ＡＣＫおよびＣＳＩは単なる例示であって、本開示はこれに限定されない。第１ＵＣＩおよび第２ＵＣＩは、特定の環境の如何により、任意の他の適切な種類のＵＣＩであってよい。
【００５９】
本開示の一実施形態によれば、この所定の値は、設定されるかまたは規格に規定される。
【００６０】
具体的に、この所定の値は、ＰＵＳＣＨ内の第１ＵＣＩより低い優先度の第２ＵＣＩのために使われているリソースを、第１ＵＣＩのための追加のビットを供給するために割り込みを行う必要があるか否かを判断する閾値である。この所定値は、例えば、ＲＲＣシグナリングを介して基地局によって設定されてもよく、あるいは規格に規定されてもよい。
【００６１】
本開示の一実施形態によれば、図２に示されたＵＥ２００において、回路２１０は、ＰＵＳＣＨにおいて第２ＵＣＩのために使われるリソースを、第２ＵＣＩを圧縮する、および／またはドロップ（drop）させることによって割り込みを行う。また、この第２ＵＣＩのドロップは、第２ＵＣＩの符号化レートを変えることなく、第２ＵＣＩに対する一部のＲＥをドロップさせる、第１ＵＣＩで使用される一部のＲＥを残すために第２ＵＣＩの符号化レートを変更する、および第２ＵＣＩに対する全てのＲＥをドロップさせる、のうちの１つを含む。
【００６２】
具体的に、理解のための便宜上、ＨＡＲＱ−ＡＣＫおよびＣＳＩを、それぞれ第１ＵＣＩおよび第２ＵＣＩの例としてさらに取り上げる。ＰＵＳＣＨにおいてＣＳＩに使われるリソースの割り込みを行うために、ＣＳＩのビットに対し圧縮を行うことができる。前述したように、ＣＳＩのビットに対する圧縮の原理は、ＨＡＲＱ−ＡＣＫのビットに対するものと同様なので、冗長さを避けるためにここではその詳細を説明しないこととする。圧縮に加え、ＣＳＩのドロップも選択肢である。
【００６３】
さらに具体的には、ＣＳＩのドロップは、ＣＳＩの符号化レートをそのまま維持しながら、ＰＵＳＣＨ内のＣＳＩに対する一部のＲＥをドロップさせることによって実装することが可能である。これにより、その一部のＲＥは、ＨＡＲＱ−ＡＣＫを送信するための追加のリソースとして供給できる。あるいは、ＣＳＩのドロップは、ＨＡＲＱ−ＡＣＫに使用される一部のＲＥを残すために、ＣＳＩの符号化レートを変更することによって実装することも可能である。または、ＣＳＩに対する全てのＲＥさえも、ＨＡＲＱ−ＡＣＫを送信するための追加のリソースとして供給できるように、これらＲＥの全てをドロップさせることも可能である。
【００６４】
さらに、ＰＵＳＣＨにおいてＣＳＩに対し使われるリソースは、ＣＳＩのビットの圧縮およびＣＳＩのＲＥのドロップの組み合わせによって割り込みを行うこともできる。
【００６５】
なお、上記の第２ＵＣＩに使われるリソースへの割り込みの実装は単なる例示であって、第２ＵＣＩに使われるリソースへの割り込みは、特定の環境の如何によって任意の他の適切な仕方で実装することが可能である。
【００６６】
本開示の一実施形態によれば、この圧縮は、最初に空間領域で行われ、次に周波数領域で行われ、最後に時間領域で行われるか、あるいは、最初に空間領域で行われ、次に時間領域で行われ、最後に周波数領域で行われ、これはＲＲＣの設定に基づくかまたは規格に規定される。
【００６７】
具体的に、ＤＬ割り当ては異なるキャリア、ＴＴＩ、またはビームに分配することができる。前述のようにＨＡＲＱ−ＡＣＫまたはＣＳＩのいずれを圧縮するにせよ、（ＵＬグラントの前および後のＤＬ割り当てに対する）空間領域、周波数／キャリア／ＢＷＰ（Bandwidth part）領域、および時間領域の圧縮ルールを決める必要がある。例えば、この圧縮ルールは、圧縮が最初に空間領域で、次に周波数領域で、最後に時間領域で行われるように指示することができる。あるいは、当該圧縮ルールは、圧縮が最初に空間領域で、次に時間領域で、最後に周波数領域で行われるように指示することも可能である。なお、本開示は上記に限定されるものでなく、圧縮ルールは、特定の環境の如何によって上記の例と異なっていてもよい。
【００６８】
さらに、この圧縮ルールは、基地局によって、例えばＲＲＣシグナリングを介して動的に構成することが可能である。すなわち、この圧縮ルールは、ＲＲＣシグナリングを介して基地局によって設定され、初期には、圧縮が最初に空間領域で、次に周波数領域で、最後に時間領域で行われるように指示されてよい。その後に、圧縮が最初に空間領域で、次に時間領域で、最後に周波数領域で行われるように指示するため、別のＲＲＣシグナリングを介して基地局によってさらに設定されてもよい。
【００６９】
あるいは、この圧縮ルールは、規格に規定されてもよく、これは動的に変更されないことになる。すなわち、当該圧縮ルールは、例えば、圧縮が最初に空間領域で、次に周波数領域で、最後に時間領域で行われるように指示するため規格に規定することができ、これは中途で変更されることはないことになる。または、当該圧縮ルールは、例えば、圧縮が最初に空間領域で、次に時間領域で、最後に周波数領域で行われるように指示するため規格に規定することができ、これも中途変更されることはないことになる。
【００７０】
本開示の一実施形態によれば、ＵＣＩビットは、ＨＡＲＱ−ＡＣＫ、ＣＳＩパート１（CSI part 1）、およびＣＳＩパート２（CSI part 2）のうちの１つに使用され、ＨＡＲＱ−ＡＣＫ、ＣＳＩパート１、およびＣＳＩパート２の各々に対する符号化レートは別々に設定される。
【００７１】
具体的に、上記では、ＵＣＩの例としてＨＡＲＱ−ＡＣＫを取り上げたケースを説明してきた。ＤＬのセミパーシステントスケジューリング（ＳＰＳ：Semi-persistent Scheduling）に対するＨＡＲＱ−ＡＣＫも同様にこれに含まれ得ることに留意する。すなわち、ＨＡＲＱ−ＡＣＫには、ＤＬ  ＳＰＳに対するＨＡＲＱ−ＡＣＫおよび動的データに対するＨＡＲＱ−ＡＣＫの両方が含まれてよい。
【００７２】
さらに、上記ではＨＡＲＱ−ＡＣＫの例が挙げられているが、本開示はこれに限定されない。また、ＵＣＩビットはＣＳＩパート１またはＣＳＩパート２に使用されてよい。当該技術分野で周知のように、ＮＲでは、ＣＳＩパート１は、ＲＩのようなＣＳＩ、レイヤインジケータ、および広帯域ＣＱＩ（Wideband CQI）であり、ＣＳＩパート２は、ＰＭＩのようなＣＳＩである。ＣＳＩパート２のサイズは、ＣＳＩパート１により決まる。
【００７３】
さらに具体的には、ＵＣＩビットがＣＳＩに使用される場合、ＰＵＳＣＨ割り当て（ＤＬ割り当てに基づいているとき）後のＣＳＩのレポーティングは、ＨＡＲＱ−ＡＣＫに対するのと同様なメカニズムを使用する。例えば、ＵＬグラントの後に生成されたＣＳＩのビットの数（Ａ）およびＵＬグラントの前に生成されたＣＳＩのビットの数（Ｂ）が最大符号化レートの限度を超える場合、「Ａ＋Ｂ」のビットを削減するための何らかの圧縮オペレーションが必要である。
【００７４】
なお、ＰＵＳＣＨにおいて複数の種類のＵＣＩを送信する場合、ＵＣＩの各種類に対するＵＣＩビットは別々に処理される。ＨＡＲＱ−ＡＣＫ、ＣＳＩパート１、およびＣＳＩパート２などの各種類のＵＣＩに対する符号化レートは、別々に設定することができる。例えば、ＨＡＲＱ−ＡＣＫのビットは、ＨＡＲＱ−ＡＣＫに固有のＭおよびＮと、Ｐおよび／またはＱと、の比較に従って図２に示されたＵＥ２００内の回路２１０によって処理される。ＣＳＩパート１に対するビットは、ＣＳＩパート１に固有のＭおよびＮと、Ｐおよび／またはＱと、の比較に従って図２に示されたＵＥ２００内の回路２１０によって処理される。ＣＳＩパート２に対するビットは、ＣＳＩパート２に固有のＭおよびＮと、Ｐおよび／またはＱと、の比較に従って図２に示されたＵＥ２００内の回路２１０によって処理される。
【００７５】
さらに、例えば、図１に示された前述の例において、ＵＣＩ（例えば、ＨＡＲＱ−ＡＣＫ）のビットは、ＵＥによってＵＬグラントが受信される前と後とのＤＬ割り当てに基づいて生成されるが、本開示はこれに限定されない。物理ダウンリンク共有チャネル（ＰＤＳＣＨ：Physical Downlink Shared Channel）（例えば、セミパーシステントスケジューリング（ＳＰＳ））があり、ＤＬ割り当てがないこともあり得る。この場合、ＨＡＲＱ−ＡＣＫのビットはＰＤＳＣＨに基づいて生成されることになり、これも同様に、基地局にフィードバックされる必要がある。ＵＣＩ（例えばＨＡＲＱ−ＡＣＫ）のＭビットは、ＵＥによってＵＬグラントが受信される前にＰＤＳＣＨに基づいて生成されてよく、ＵＣＩ（例えばＨＡＲＱ−ＡＣＫ）のＮビットは、ＵＥによってＵＬグラントが受信された後にＰＤＳＣＨに基づいて生成されてよい。
【００７６】
さらに、ＵＬグラント内のＤＡＩをどのようにカウントするかに関し、図３および図４に示された２つのオプションが可能である。
【００７７】
図３は、ＮＲにおける基地局からのＵＬグラント内のＤＡＩをカウントするための１つのオプションを概略的に示す。図１と同様に、図３において、右向きの軸は、時間軸、およびその上に示されたいくつかのＴＴＩを表し、右向きスラッシュで充填されたブロックは、基地局（ｇＮＢ）からＴＴＩ＃４で受信されたＵＬグラントを表し、ＴＴＩ＃１〜３の左向きスラッシュで充填された３つのブロックは、それぞれＵＬグラントの前に基地局から受信されたＤＬ割り当てを表し、ＴＴＩ＃５〜６の左向きスラッシュで充填された２つのブロックは、それぞれＵＬグラントの後に基地局から受信されたＤＬ割り当てを表し、点で充填されたブロックはＵＥから基地局へのＰＵＳＣＨ送信を表す。ＵＬグラント内の指示から、ＵＥは、例えばＴＴＩ＃８の、ＰＵＳＣＨに対する送信タイミングを判断できる。
【００７８】
前述したように、ＴＴＩ＃４でＵＥによって受信されたＵＬグラントは、必要なＵＣＩリソースを計算するために使われるＤＡＩを示すことも可能である。図３に示されるように、ＴＴＩ＃１で受信されたＤＬ割り当てに対し、ＤＡＩ値＝１であり、ＴＴＩ＃２で受信されたＤＬ割り当てに対し、ＤＡＩ値は２に増分され、ＴＴＩ＃３で受信されたＤＬ割り当てに対し、ＤＡＩ値は３に増分される。しかしながら、ＴＴＩ＃５で受信されたＤＬ割り当てに対して、ＤＡＩ値は１にリセットされ、ＴＴＩ＃６で受信されたＤＬ割り当てに対し、ＤＡＩ値は２に増分される。すなわち、図３に示されたオプションは、ＵＬグラントの後のＤＬ割り当てをカウントしないで、ＵＬグラント前のＤＬ割り当てをカウントすることである。
【００７９】
図４は、ＮＲにおける基地局からのＵＬグラント内のＤＡＩをカウントするための別のオプションを概略的に示す。図４は、ＤＡＩのカウントの仕方を除き図３と同じである、冗長さを避けるためにこの中の同じ部分の説明はしないこととする。図４に示されるように、ＴＴＩ＃１で受信されたＤＬ割り当てに対し、ＤＡＩ値＝１であり、ＴＴＩ＃２で受信されたＤＬ割り当てに対し、ＤＡＩ値は２に増分され、ＴＴＩ＃３で受信されたＤＬ割り当てに対し、ＤＡＩ値は３に増分され、ＴＴＩ＃５で受信されたＤＬ割り当てに対し、ＤＡＩ値は引き続き４に増分され、ＴＴＩ＃６で受信されたＤＬ割り当てに対し、ＤＡＩ値は５に増分される。すなわち、図４に示されたオプションは、ＵＬグラントの前のＤＬ割り当てと、ＵＬグラントの後のＤＬ割り当てとの両方をカウントすることである。
【００８０】
なお、上記で図３および図４を参照しながら説明したＤＡＩのカウントは単なる例示であって、本開示はこれに限定されない。当業者は、特定の環境の如何により、上記のカウントの仕方、もしくは任意の他の適切なＤＡＩカウントの仕方を用いることが可能である。
【００８１】
上記では、図１〜図４を参照しながら、ＵＥ２００が詳しく説明されている。ＵＥ２００における、ＵＬグラント後のＤＬ割り当てに対応するＰＵＳＣＨ内のＵＣＩビットのさらなる多重化によって、ユーザのスループットを増加でき、システムのパフォーマンスを改善できる。
【００８２】
本開示の別の実施形態において、図５に示される基地局が提供される。図５は、本開示の一実施形態による、基地局５００の一部のブロック図を示す。図５に示されるように、ＢＳ５００は、受信機５１０および回路５２０を含む。受信機５１０は、ユーザ装置から、物理アップリンク共有チャネル（ＰＵＳＣＨ）により、アップリンク（ＵＬ）グラントに示された送信時間間隔（ＴＴＩ）で送信される、アップリンク制御情報（ＵＣＩ）のビットを受信する。回路５２０は、それらＵＣＩビットをＵＣＩ多重化ルールに従って復号する。これらＵＣＩビットは、送信前に、基地局からのＵＬグラントの前のダウンリンク（ＤＬ）割り当てに基づいて生成されたＵＣＩのビット数ＭおよびＵＬグラントの後のＤＬ割り当てに基づいて生成されたＵＣＩのビット数Ｎと、ＵＬグラントに示されたＵＣＩのビット数Ｐ、および／またはＵＣＩ多重化ルールに従って、少なくとも、設定された符号化レートに基づき算定されたビットの最大数Ｑと、の比較に従ってユーザ装置で処理される。また、上記のＭ、Ｎ、Ｐ、Ｑの各々は０以上の整数である。例えば、このユーザ装置は、図２に示されたＵＥ２００であってよい。
【００８３】
本開示の一実施形態によれば、（Ｍ＋Ｎ）≦Ｐのとき、ＵＣＩ多重化ルールに従って、ユーザ装置で、いかなる圧縮もせずに、ＮビットのUCIとＭビットのUCIとは多重化される。Ｍ＜Ｐ＜（Ｍ＋Ｎ）のとき、ＮビットのUCIは（Ｎ−Ｘ１）ビットのUCIに圧縮され、ＭビットのUCIは（Ｍ−Ｘ２）ビットのUCIに圧縮される。（Ｎ−Ｘ１）ビットのUCIと（Ｍ−Ｘ２）ビットのUCIとは多重化され、（Ｘ１＋Ｘ２）＝Ｍ＋Ｎ−Ｐであり、Ｘ１およびＸ２の両方は０以上の整数である。また、Ｐ≦Ｍのとき、ＮビットのUCIは（Ｎ−Ｙ１）ビットのUCIに圧縮され、ＭビットのUCIは（Ｍ−Ｙ２）ビットのUCIに圧縮される。（Ｎ−Ｙ１）ビットのUCIと（Ｍ−Ｙ２）ビットのUCIとは多重化される。上記において（Ｙ１＋Ｙ２）＝Ｍ＋Ｎ−Ｐであり、Ｙ１およびＹ２の両方は０以上の整数である。
【００８４】
本開示の一実施形態によれば、（Ｍ＋Ｎ）≦Ｑのとき、ＵＣＩ多重化ルールに従って、ユーザ装置で、いかなる圧縮もせずに、ＮビットのUCIとＭビットのUCIとは多重化される。また、Ｑ＜（Ｍ＋Ｎ）のとき、ユーザ装置で、ＮビットのUCIは（Ｎ−Ｚ１）ビットのUCIに圧縮され、ＭビットのUCIは（Ｍ−Ｚ２）ビットのUCIに圧縮される。（Ｎ−Ｚ１）ビットのUCIと（Ｍ−Ｚ２）ビットのUCIとは多重化される。上記において（Ｚ１＋Ｚ２）≧Ｍ＋Ｎ−Ｑであり、Ｚ１およびＺ２の両方は０以上の整数である。
【００８５】
本開示の一実施形態によれば、設定された符号化レートはＵＣＩビットの最大符号化レートであり、Ｑは、このＵＣＩビットの最大符号化レート、想定されるリソースのサイズ、および想定される変調次数に基づいて算定される。
【００８６】
本開示の一実施形態によれば、想定されるリソースのサイズは、参照信号（ＲＳ）に対するリソースエレメント（ＲＥ）を除いた、割り当てられた全体のＰＵＳＣＨリソースであり、ＵＬ割り当てに対するダウンリンク制御情報内の指示および準静的な構成に基づいて算定され、または準静的な構成のみに基づいて算定される。
【００８７】
本開示の一実施形態によれば、ＵＣＩビットの最大符号化レートは、ＰＵＳＣＨのＵＣＩの多重化と物理アップリンク制御チャネル（ＰＵＣＣＨ）の多重化とに対して別々に設定されるが、ＰＵＳＣＨおよびＰＵＣＣＨに対する無線リソース制御（ＲＲＣ）パラメータセットは共通である。
【００８８】
本開示の一実施形態によれば、想定される変調次数は、ＰＵＳＣＨのものと同じである。
【００８９】
本開示の一実施形態によれば、Ｐ＜（Ｍ＋Ｎ）≦Ｑのとき、ＵＣＩ多重化ルールに従って、ユーザ装置で、いかなる圧縮もせずに、ＮビットのＵＣＩとＭビットのＵＣＩとが多重化される。
【００９０】
本開示の一実施形態によれば、第１ＵＣＩに対しＵＣＩビットが使用され、ＵＬグラント後のＤＬ割り当てを考慮した第１ＵＣＩの送信符号化レートからＵＬグラント後のＤＬ割り当てを考慮しない第１ＵＣＩの送信符号化レートを差し引いた差が所定の値より高いとき、第１ＵＣＩに対し追加のビットを供給するために、ＵＣＩの多重化ルールに従って、ＰＵＳＣＨにおいて第１ＵＣＩよりも低い優先度の第２ＵＣＩのために使われるリソースの割り込みが行われる。
【００９１】
本開示の一実施形態によれば、ＰＵＳＣＨにおいて第２ＵＣＩのために使われるリソースは、ＵＣＩ多重化の多重化ルールに従って、第２ＵＣＩを圧縮するおよび／またはドロップさせることによって割り込みが行われる。また、この第２ＵＣＩのドロップは、第２ＵＣＩの符号化レートを変えることなく、第２ＵＣＩに対する一部のＲＥをドロップさせる、第１ＵＣＩに使用される一部のＲＥを残すため第２ＵＣＩの符号化レートを変更する、および、第２ＵＣＩに対する全てのＲＥをドロップさせる、のうちの１つを含む。
【００９２】
本開示の一実施形態によれば、該所定の値は設定されるかまたは規格に規定される。
【００９３】
本開示の一実施形態によれば、この第１ＵＣＩはハイブリッド自動再送要求の応答確認（ＨＡＲＱ−ＡＣＫ）であり、第２ＵＣＩは、チャネル状態情報（ＣＳＩ）である。
【００９４】
本開示の一実施形態によれば、この圧縮は、最初に空間領域で行われ、次に周波数領域で行われ、最後に時間領域で行われるか、あるいは、最初に空間領域で行われ、次に時間領域で行われ、最後に周波数領域で行われ、これはＲＲＣの設定に基づくかまたは規格に規定される。
【００９５】
本開示の一実施形態によれば、ＵＣＩビットは、ＨＡＲＱ−ＡＣＫ、ＣＳＩパート１、およびＣＳＩパート２のうちの１つに使用され、ＨＡＲＱ−ＡＣＫ、ＣＳＩパート１、およびＣＳＩパート２の各々に対する符号化レートは別々に設定される。
【００９６】
ＢＳ５００において、ＰＵＳＣＨ内の、ＵＬグラント後のＤＬ割り当てに対応するＵＣＩビットのさらなる多重化によって、ユーザのスループットが増加でき、システムパフォーマンスを向上できる。
【００９７】
図６は、本開示の一実施形態による、ユーザ装置６００の細部のブロック図を示す。
【００９８】
ユーザ装置６００は、ｎ個の符号化変調部６１０−１〜６１０−ｎを備え、その各々は、送信データ＃１〜送信データ＃ｎのための符号化部６０１（６０１−１〜６０１−ｎ）と変調部６０２（６０２−１〜６０２−ｎ）とを含む。符号化変調部６１０−１〜６１０−ｎにおいて、符号化部６０１−１〜６０１−ｎは、送信データ＃１〜＃ｎそれぞれの符号化処理を行い、変調部６０２−１〜６０２−ｎは、データ符号化後の送信データの変調処理を行って、それぞれのデータシンボルを生成する。このときに用いられる符号化レートおよび変調方式は、適応制御部６２４から入力されるＭＣＳ（Modulation and Coding Scheme）情報に依ることができる。ｎ個の符号化変調部６１０−１〜６１０−ｎは、ＰＵＳＣＨのためのものと見なしてよい。
【００９９】
リソース割り当て部６１１は、適応制御部６２４による制御に従って、データシンボルをＰＲＢに割り当て、多重化部６１２への出力を行う。また、リソース割り当て部６１１は、制御情報生成部６１３にもリソース割り当て情報を出力可能である。
【０１００】
制御情報生成部６１３は、ＵＣＩを含む制御情報を生成し、適応制御部６２４およびリソース割り当て部６１１から入力された情報に基づいて、送信対象のＵＣＩビットをどのように処理するかを判断する。具体的には、制御情報生成部６１３は、前述したように、ＭおよびＮと、Ｐおよび／またはＱと、の比較に従って送信対象のＵＣＩビットをどのように処理するかを判断する。次いで、制御情報生成部６１３は、生成された制御情報を符号化部６１４に出力する。
【０１０１】
符号化部６１４は、制御情報（例えばＵＣＩ）に対し符号化処理を行い、変調部６１５は、符号化後の制御情報に変調処理を行い、その制御情報を多重化部６１２に出力する。
【０１０２】
多重化部６１２は、制御情報（例えばＵＣＩ）と、リソース割り当て部６１１から入力されたデータシンボルとを多重化し、得られた信号をＩＦＦＴ（Inverse Fast Fourier Transform（逆高速フーリエ変換））部６１６に出力する。制御情報の多重化は、例えば、サブフレーム毎のベースで行われる。なお、制御情報の多重化のために、時間領域の多重化もしくは周波数領域の多重化を用いることができる。
【０１０３】
ＩＦＦＴ部６１６は、マルチキャリア信号であるＯＦＤＭ（Orthogonal Frequency Division Multiplexing（直交周波数分割多重化））シンボルを生成するために、制御情報およびデータシンボルがマッピングされているＰＲＢ内の複数のサブキャリアに対しＩＦＦＴ処理を行う。ＣＰ（Cyclic Prefix（サイクリックプレフィックス））付加部６１７は、ＯＦＤＭの開始部に、ＣＰとして、ＯＦＤＭの終端部と同一の信号を付加する。無線送信部６１８は、ＣＰ付加後のＯＦＤＭシンボルに、Ｄ／Ａ変換、増幅、およびアップコンバートなどの送信処理を行い、それをアンテナ６１９から基地局に送信する。
【０１０４】
一方、無線受信部６２０は、基地局から送信されたｎのＯＦＤＭシンボルを、アンテナ６１９を介して受信し、これらのＯＦＤＭシンボルに対し、ダウンコンバートおよびＡ／Ｄ変換などの受信処理を行う。ＣＰ除去部６２１は、受信処理後のＯＦＤＭシンボルからＣＰを除去する。
【０１０５】
ＦＦＴ（Fast Fourier Transform（高速フーリエ変換））部６２２は、周波数領域で多重化された信号を得るために、ＣＰ除去後のＯＦＤＭシンボルに対しＦＦＴ処理を行う。
【０１０６】
復調復号部６２３−１〜６２３−ｎにおいて、復調部６０４−１〜６０４−ｎは、それぞれＦＦＴ後の信号に対し復調処理を行い、復号部６０３−１〜６０３−ｎは、それぞれ復調後の信号に対し復号処理を行う。このようにして、受信データが得られる。受信データ内の受信制御情報（例えば、ＤＣＩ）は適応制御部６２４に入力される。適応制御部６２４は、受信制御情報に基づいて送信データに適応制御を行い、リソース割り当て部６１１のため、各データがどのＰＲＢの割り当てられるかを決める周波数スケジューリングを行う。さらに具体的には、ＵＥ６００は、基地局から、（例えば、図１に示されるように）ＤＬ割り当ておよびＵＬグラントを受信できる。復調復号部６２３−１〜６２３−ｎによって復調および復号された後、ＤＬ割り当ては、例えばＵＣＩを生成するために、適応制御部６２４に次いで制御情報生成部６１３に供給されてよい。
【０１０７】
なお、図６に示されたユーザ装置６００は、図２に示されたＵＥ２００として機能することが可能である。具体的に、無線送信部６１８は、送信機２２０に相当し得る。回路２１０は、符号化変調部６１０−１〜６１０−ｎ、リソース割り当て部６１１、多重化部６１２、制御情報生成部６１３、符号化部６１４、変調部６１５、ＩＦＦＴ部６１６、ＣＰ付加部６１７、ＣＰ除去部６２１、ＦＦＴ部６２２、復調復号部６２３−１〜６２３−ｎ、および適応制御部６２４を含んでよい。当然のことながら、特定の要件の如何によっては、これら構成部の１つ以上を回路２１０から分離することも可能である。
【０１０８】
図７は、本開示の一実施形態による、基地局７００の細部のブロック図を示す。
【０１０９】
図７に示された基地局７００において、無線受信部７１１は、ユーザ装置からアンテナ７１０を介して送信されたＯＦＤＭシンボルを受信し、該ＯＦＤＭシンボルに対し、アップコンバートおよびＡ／Ｄなどの受信処理を行う。ＣＰ除去部７１２は、受信処理後のＯＦＤＭシンボルからＣＰを除去する。ＦＦＴ部７１３は、制御情報（ＵＣＩを含む）およびデータシンボルが多重化されている受信信号を得るために、ＣＰ除去後のＯＦＤＭシンボルに対しＦＦＴ処理を行う。逆多重化部７１４は、ＦＦＴ後の受信信号を、制御信号とデータシンボルとに逆多重化する。次いで、逆多重化部７１４は、制御信号を復調復号部７１５に出力し、データシンボルをデマッピング部７１６に出力する。
【０１１０】
復調復号部７１５において、復調部７０１は制御信号に復調処理を行い、復号部７０２は、復調後の信号に対し復号処理を行う。この制御情報はＵＣＩを含んでいてよい。前述のように、復調復号部７１５は、ＵＣＩ多重化ルールに従ってＵＣＩビットを復調および復号することができ、このルールはＢＳ７００であらかじめ設定し、ユーザ装置に通知することができ、あるいは規格に規定されてもよい。ユーザ装置において、送信対象のＵＣＩビットは、このＵＣＩ多重化ルールに沿って、ＭおよびＮと、Ｐおよび／またはＱと、の比較に従って処理される。
【０１１１】
さらに、この制御情報はリソース割り当て情報も含むことができる。次いで、復調復号部７１５は、制御情報内のこのリソース割り当て情報をデマッピング部７１６に出力する。
【０１１２】
復調復号部７１５から入力されたリソース割り当て情報に基づいて、デマッピング部７１６は、リソース割り当て情報に基づきＰＲＢからデータシンボルを抽出する。次いで、デマッピング部７１６は、抽出されたデータシンボルを復調復号部７１７に出力する。
【０１１３】
復調復号部７１７において、復調部７０３はデマッピング部７１６から入力されたデータシンボルに復調処理を行い、復号部７０４は、復調後の信号に対し復号処理を行う。このようにして、受信データが得られる。
【０１１４】
一方、符号化変調部７１８において、符号化部７０５は送信データに符号化処理を行い、変調部７０６は、データシンボルを生成するために、符号化後の送信データに変調処理を行う。ＩＦＦＴ部７１９は、マルチキャリア信号であるＯＦＤＭシンボルを生成するために、符号化変調部７１８から入力されたデータシンボルがその中に割り当てられる、ＰＲＢ内の複数のサブキャリアに対しＩＦＦＴ処理を行う。ＣＰ付加部７２０は、ＯＦＤＭの開始部に、ＣＰとして、ＯＦＤＭの終端部と同一の信号を付加する。無線送信部７２１は、ＣＰ付加後のＯＦＤＭシンボルに、Ｄ／Ａ変換、増幅、およびアップコンバートなどの送信処理を行い、それをアンテナ７１０からユーザ装置に送信する。
【０１１５】
図７には示されていないが、当然のことながら、ＢＳ７００は、符号化変調部７１８と、ＩＦＦＴ部７１９と、ＣＰ付加部７２０と、アンテナ７１０とを使って、ＤＣＩをユーザ装置に同様に送信できる。
【０１１６】
なお、図７に示された基地局７００は、図５に示されたＢＳ５００として機能することが可能である。具体的に、無線受信部７１１は、受信機５１０に相当し得る。回路５２０は、ＣＰ除去部７１２、ＦＦＴ部７１３、逆多重化部７１４、復調復号部７１５、７１７、デマッピング部７１６、符号化変調部７１８、ＩＦＦＴ部７１９、ＣＰ付加部７２０を含んでよい。当然のことながら、特定の要件の如何によって、これら構成部の１つ以上を回路５２０から分離することが可能である。
【０１１７】
当該技術分野で周知のように、現在のＮＲでは、アップリンクに対し、サイクリックプレフィックス直交周波数分割多重化（ＣＰ−ＯＦＤＭ：Cyclic Prefix - Orthogonal Frequency Division Multiplexing）波形、および離散フーリエ変換拡散直交周波数分割多重化（ＤＦＴ−Ｓ−ＯＦＤＭ：Discrete Fourier Transform - spread - Orthogonal Frequency Division Multiplexing）波形の両方がサポートされている。異なる波形は、ＮＲでのＵＣＩのマッピングに影響することになる。ＤＦＴ−Ｓ−ＯＦＤＭおよびＣＰ−ＯＦＤＭは関連技術分野では周知であり、ここでは詳しく説明しないこととする。これらの主たる差異は、追加のＤＦＴオペレーションが存在するかしないかである。例えば、上記の図６および図７は、ＰＵＳＣＨがＣＰ−ＯＦＤＭ波形を用いているケースを示しているが（この中には追加のＤＦＴオペレーションはない）、本開示はこれに限定されない。当然のことながら、本開示は、ＰＵＳＣＨがＤＦＴ−Ｓ−ＯＦＤＭ波形を用いるケースにも適用が可能である。
【０１１８】
図８は、本開示の一実施形態による、ＢＳ８１０とＵＥ８２０との間の通信のフローチャートの一例を概略的に示す。例えば、ＢＳ８１０は、図５に示されたＢＳ５００、または図７に示された基地局７００であってよく、ＵＥ８２０は、図２に示されたＵＥ２００、または図６に示されたユーザ装置６００であってよい。
【０１１９】
ステップＳＴ１０１において、ＵＥ８２０は、接続手順によりＢＳ８１０に接続する。この接続は、既知のまたは将来開発される方法を実行することによって確立することができ、その詳細は本明細書では省略する。
【０１２０】
ステップＳＴ１０２において、ＵＥ８２０は、ＰＵＳＣＨ内のＵＣＩの多重化を行う。具体的には、ＵＥ８２０は、ＭおよびＮと、Ｐおよび／またはＱと、の比較に従って送信対象のＵＣＩビットを処理する。前述したように、ＵＥ８２０は、図２に示されたＵＥ２００のように回路２１０を含むことができ、ステップＳＴ１０２はこの回路２１０によって行うことができる。
【０１２１】
ステップＳＴ１０３において、ＵＥ８２０は、ＰＵＳＣＨにおいてＵＣＩビットをＢＳ８１０に送信する。前述したように、ＵＥ８２０は、図２に示されたＵＥ２００のように送信機２２０も同様に含むことができる。ステップＳＴ１０３はこの送信機２２０によって行われる。相応して、ＢＳ８１０は、図５に示されたＢＳ５００のように受信機５１０を含むことができ、受信機５１０は、ステップＳＴ１０３で、ＵＥ８２０から送信されたＵＣＩビットを受信する。
【０１２２】
ステップＳＴ１０４において、ＢＳ８１０は、送信されるＵＣＩビットをどのように処理するかを示すＵＣＩ多重化ルールに従って、ＵＣＩビットを復号する。また、ＢＳ８１０は、図５に示されたＢＳ５００のように回路５２０を含むことができ、ステップＳＴ１０４は回路５２０によって行うことができる。
【０１２３】
なお、図８には示されていないが、ＰＵＳＣＨにおいて、ＵＥ８２０からＢＳ８１０にデータを送信し、次いでＢＳ８１０で復号できる。
【０１２４】
本開示のさらなる実施形態において、図９に示されるような、ユーザ装置のための無線通信方法が提供される。図９は、本開示の一実施形態による、ユーザ装置のための無線通信方法９００のフローチャートを示す。例えば、無線通信方法９００は、図２および図６に示されたＵＥ２００／６００に適用することが可能である。
【０１２５】
図９に示されるように、無線通信方法９００は、ステップＳ９０１で開始され、このステップでは、送信対象のアップリンク制御情報（ＵＣＩ）ビットが、基地局からのアップリンク（ＵＬ）グラントの前のダウンリンク（ＤＬ）割り当てに基づいて生成されたＵＣＩのビット数ＭおよびＵＬグラントの後のＤＬ割り当てに基づいて生成されたＵＣＩのビット数Ｎと、ＵＬグラントに示されたＵＣＩのビット数Ｐ、および／または少なくとも設定された符号化レートに基づいて算定された最大ビット数Ｑと、の比較に従って処理される。上記のＭ、Ｎ、Ｐ、Ｑの各々は０以上の整数である。次いで、ステップＳ９０２において、処理されたＵＣＩビットが、物理アップリンク共有チャネル（ＰＵＳＣＨ）において、ＵＬグラントに示された送信時間間隔（ＴＴＩ）で基地局に送信される。ステップＳ９０２の後、無線通信方法９００は終了する。この基地局は、例えば、図５および図７に示されたＢＳ５００／７００であってよい。
【０１２６】
無線通信方法９００によって、ＰＵＳＣＨ内のＵＬグラント後のＤＬ割り当てに対応するＵＣＩビットをさらに多重化することにより、ユーザのスループットが増加でき、システムパフォーマンスを向上できる。
【０１２７】
なお、無線通信方法９００に、前述のユーザ装置２００内の他の技術的特徴も組み込むことができるが、冗長さを避けるためにここでは説明しないこととする。
【０１２８】
本開示のさらなる実施形態において、図１０に示されるように、基地局のための無線通信方法が提供される。図１０は、本開示の一実施形態による、基地局のための無線通信方法１０００のフローチャートを示す。例えば、無線通信方法１０００は、図５および７に示されたＢＳ５００／７００に適用することが可能である。
【０１２９】
図１０に示されるように、無線通信方法１０００は、Ｓ１００１で開始され、このステップでは、物理アップリンク共有チャネル（ＰＵＳＣＨ）において送信されたアップリンク制御情報（ＵＣＩ）のビットが、アップリンク（ＵＬ）グラントに示された送信時間間隔（ＴＴＩ）でユーザ装置から受信される。次いで、ステップＳ１００２で、ＵＣＩビットが、ＵＣＩ多重化ルールに従って復号される。ステップＳ１００２の後、無線通信方法１０００は終了する。送信前のＵＣＩビットは、ユーザ装置において、基地局からのＵＬグラントの前のダウンリンク（ＤＬ）割り当てに基づいて生成されたＵＣＩビット数ＭおよびＵＬグラントの後のＤＬ割り当てに基づいて生成されたＵＣＩビット数Ｎと、ＵＬグラントに示されたＵＣＩのビット数Ｐ、および／または少なくともＵＣＩ多重化ルールに従って設定された符号化レートに基づいて算定された最大ビット数Ｑと、の比較に従って処理され、上記のＭ、Ｎ、Ｐ、Ｑの各々は０以上の整数である。このユーザ装置は、例えば、図２および図６に示されたＵＥ２００／６００であってよい。
【０１３０】
無線通信方法１０００によって、ＰＵＳＣＨ内のＵＬグラント後のＤＬ割り当てに対応するＵＣＩビットをさらに多重化することにより、ユーザのスループットが増加でき、システムパフォーマンスを向上できる。
【０１３１】
なお、無線通信方法１０００に、前述の基地局５００内の他の技術的特徴も組み込むことができるが、冗長さを避けるためにここでは説明しないこととする。
【０１３２】
上記の説明は、ＰＵＳＣＨ内のＵＣＩの多重化に焦点を合わせているが、本開示はこれに限定されない。背景技術で説明したように、ＵＣＩは、ＰＵＣＣＨでも同様に送信することが可能である。したがって、前述で開示したアイデアは、ＰＵＣＣＨ内のＵＣＩの多重化にも同様に適用できる。例えば、ＰＵＣＣＨで送信される対象のＵＣＩビットの全てを送信するためのリソースがＰＵＣＣＨ内に十分にないとき、ＰＵＣＣＨで送信する対象のＵＣＩビットの合計数を削減するためにＵＣＩビットの一部に対して圧縮を行うことが可能である。当然のことながら、上記でＰＵＳＣＨのケースについて説明したような圧縮をどのように行うかについての考察は、ＰＵＣＣＨのケースにも同様に適用可能である。
【０１３３】
本開示は、ソフトウェア、ハードウェア、またはハードウェアと連携したソフトウェアで実現することが可能である。各実施形態の説明に用いた各機能ブロックは、集積回路であるＬＳＩとして実現され、各実施形態で説明した各プロセスはＬＳＩによって制御されてもよい。ＬＳＩは、個々のチップから構成されてもよいし、機能ブロックの一部または全てを含むように一つのチップから構成されてもよい。ＬＳＩは、データの入力と出力とを備えてもよい。ＬＳＩは、集積度の違いにより、ＩＣ、システムＬＳＩ、スーパーＬＳＩ、またはウルトラＬＳＩと称されることもある。また、集積回路化の手法はＬＳＩに限るものではなく、専用回路、汎用プロセッサで実現しても可能である。また、ＬＳＩ製造後に、プログラムすることが可能なＦＰＧＡ（Field Programmable Gate Array）、または、ＬＳＩ内部の回路セルの接続および設定を再構成可能なリコンフィギャラブル・プロセッサとして実現されてもよい。
【０１３４】
なお、本開示は、本明細書中に提示された説明および既知の技術に基づいて、本開示の内容および範囲から逸脱することなく、当業者によって様々に変更または修改されることを意図しており、かかる変更および応用は、保護が請求されている範囲内に含まれる。さらに、本開示の内容から逸脱しない範囲で、前述した諸実施形態の構成要素を任意に組み合わせることが可能である。
【０１３５】
本開示の諸実施形態は、少なくとも以下の主題を提供できる。
【０１３６】
（１）．基地局からのアップリンク（ＵＬ）グラントの前にダウンリンク（ＤＬ）割り当てに基づいて生成されたＵＣＩのビット数ＭおよびＵＬグラント後のＤＬ割り当てに基づいて生成されたＵＣＩのビット数Ｎと、ＵＬグラントに示されたＵＣＩのビット数Ｐ、および／または少なくとも設定された符号化レートに基づいて算定されたビットの最大数Ｑと、の比較に従って送信対象のアップリンク制御情報（ＵＣＩ）を処理し、上記のＭ、Ｎ、Ｐ、Ｑの各々は０以上の整数である、回路と、
処理されたＵＣＩビットを、物理アップリンク共有チャネル（ＰＵＳＣＨ）において、ＵＬグラントに示された送信時間間隔（ＴＴＩ：Transmission Time Interval）で基地局に送信する送信機と、を含む、ユーザ装置。
【０１３７】
（２）．（Ｍ＋Ｎ）≦Ｐのとき、回路は、いかなる圧縮もせずに、ＮビットのUCIとＭビットのUCIとを多重化し、
Ｍ＜Ｐ＜（Ｍ＋Ｎ）のとき、回路は、ＮビットのUCIを（Ｎ−Ｘ１）ビットのUCIに圧縮し、ＭビットのUCIを（Ｍ−Ｘ２）ビットのUCIに圧縮し、（Ｎ−Ｘ１）ビットのUCIと（Ｍ−Ｘ２）ビットのUCIとを多重化し、上記において（Ｘ１＋Ｘ２）＝Ｍ＋Ｎ−Ｐであり、Ｘ１およびＸ２の両方は０以上の整数であり、また、
Ｐ≦Ｍのとき、回路は、ＮビットのUCIを（Ｎ−Ｙ１）ビットのUCIに圧縮し、ＭビットのUCIを（Ｍ−Ｙ２）ビットのUCIに圧縮し、（Ｎ−Ｙ１）ビットのUCIと（Ｍ−Ｙ２）ビットのUCIとを多重化し、上記において（Ｙ１＋Ｙ２）＝Ｍ＋Ｎ−Ｐであり、Ｙ１およびＹ２の両方は０より大きい整数である、（１）に記載のユーザ装置。
【０１３８】
（３）．（Ｍ＋Ｎ）≦Ｑのとき、回路は、いかなる圧縮もせずに、ＮビットのUCIとＭビットのUCIとを多重化し、
Ｑ＜（Ｍ＋Ｎ）のとき、回路は、ＮビットのUCIを（Ｎ−Ｚ１）ビットのUCIに圧縮し、ＭビットのUCIを（Ｍ−Ｚ２）ビットのUCIに圧縮し、（Ｎ−Ｚ１）ビットのUCIと（Ｍ−Ｚ２）ビットのUCIとを多重化し、上記（Ｚ１＋Ｚ２）≧Ｍ＋Ｎ−Ｑであり、Ｚ１およびＺ２の両方は０以上の整数である、（１）に記載のユーザ装置。
【０１３９】
（４）．設定された符号化レートがＵＣＩビットの最大符号化レートであり、Ｑが、このＵＣＩビットの最大符号化レート、想定されるリソースのサイズ、および想定される変調次数に基づいて算定される、（１）に記載のユーザ装置。
【０１４０】
（５）．想定されるリソースのサイズが、参照信号（ＲＳ）に対するリソースエレメント（ＲＥ）を除いた、割り当てられた全体のＰＵＳＣＨリソースであり、ＵＬ割り当てに対するダウンリンク制御情報内の指示および準静的な構成に基づいて算定され、または準静的な構成のみに基づいて算定される、（４）に記載のユーザ装置。
【０１４１】
（６）．ＵＣＩビットの最大符号化レートが、ＰＵＳＣＨのＵＣＩの多重化と物理アップリンク制御チャネル（ＰＵＣＣＨ）の多重化とに対して別々に設定されるが、ＰＵＳＣＨおよびＰＵＣＣＨに対する無線リソース制御（ＲＲＣ）パラメータセットは共通である、（４）に記載のユーザ装置。
【０１４２】
（７）．想定される変調次数が、ＰＵＳＣＨのものと同じである、（４）に記載のユーザ装置。
【０１４３】
（８）．Ｐ＜（Ｍ＋Ｎ）≦Ｑのとき、回路は、いかなる圧縮もせずに、ＮビットのUCIとＭビットのUCIとを多重化する、（１）に記載のユーザ装置。
【０１４４】
（９）．第１ＵＣＩに対しＵＣＩビットが使用され、
ＵＬグラント後のＤＬ割り当てを考慮した第１ＵＣＩの送信符号化レートからＵＬグラント後のＤＬ割り当てを考慮しない第１ＵＣＩの送信符号化レートを差し引いた差が所定の値より高いとき、回路は、第１ＵＣＩに対し追加のビットを供給するために、ＰＵＳＣＨにおいて第１ＵＣＩよりも低い優先度の第２ＵＣＩのために使われるリソースの割り込みを行う、（１）に記載のユーザ装置。
【０１４５】
（１０）．回路が、ＰＵＳＣＨにおいて第２ＵＣＩのために使われるリソースを、第２ＵＣＩを圧縮するおよび／またはドロップさせることによって割り込みを行い、
この第２ＵＣＩのドロップが、
第２ＵＣＩの符号化レートを変えることなく、第２ＵＣＩに対する一部のＲＥをドロップさせる、
第１ＵＣＩに使用される一部のＲＥを残すために第２ＵＣＩの符号化レートを変更する、および
第２ＵＣＩに対する全てのＲＥをドロップさせる、
のうちの１つを含む、（９）に記載のユーザ装置。
【０１４６】
（１１）．所定の値が、設定されるかまたは規格に規定される、（９）に記載のユーザ装置。
【０１４７】
（１２）．第１ＵＣＩが、ハイブリッド自動再送求の応答確認（ＨＡＲＱ−ＡＣＫ）であり、第２ＵＣＩが、チャネル状態情報（ＣＳＩ）である、（９）に記載のユーザ装置。
【０１４８】
（１３）．圧縮が最初に空間領域で行われ、次に周波数領域で行われ、最後に時間領域で行われるか、あるいは、最初に空間領域で行われ、次に時間領域で行われ、最後に周波数領域で行われ、これはＲＲＣの設定に基づくかまたは規格に規定される、（２）〜（３）および（１０）のいずれか一項に記載のユーザ装置。
【０１４９】
（１４）．ＵＣＩビットが、ＨＡＲＱ−ＡＣＫ、ＣＳＩパート１、およびＣＳＩパート２のうちの１つに使用され、
ＨＡＲＱ−ＡＣＫ、ＣＳＩパート１、およびＣＳＩパート２の各々に対する符号化レートが別々に設定される、（１）に記載のユーザ装置。
【０１５０】
（１５）．物理アップリンク共有チャネル（ＰＵＳＣＨ）において、アップリンク（ＵＬ）グラントに示された送信時間間隔（ＴＴＩ）でユーザ装置から送信されるアップリンク制御情報（ＵＣＩ）ビットを受信する受信機と、
ＵＣＩ多重化ルールに従ってＵＣＩビットを復号する回路と、
を含み、
これら送信の前のＵＣＩビットが、ユーザ装置において、基地局からのＵＬグラントの前にダウンリンク（ＤＬ：Downlink）割り当てに基づいて生成されたＵＣＩのビット数ＭおよびＵＬグラント後のＤＬ割り当てに基づいて生成されたＵＣＩのビット数Ｎと、ＵＬグラントに示されたＵＣＩのビット数Ｐ、および／または少なくともＵＣＩ多重化ルールに従って設定された符号化レートに基づいて算定されたビットの最大数Ｑと、の比較に従って処理され、上記のＭ、Ｎ、Ｐ、Ｑの各々は０以上の整数である、基地局。
【０１５１】
（１６）．ＵＣＩ多重化ルールに従って、
（Ｍ＋Ｎ）≦Ｐのとき、ユーザ装置において、いかなる圧縮もせずに、ＮビットのUCIとＭビットのUCIとが多重化され、
Ｍ＜Ｐ＜（Ｍ＋Ｎ）のとき、ユーザ装置において、ＮビットのUCIは（Ｎ−Ｘ１）ビットのUCIに圧縮され、ＭビットのUCIは（Ｍ−Ｘ２）ビットのUCIに圧縮され、次いで（Ｎ−Ｘ１）ビットのUCIと（Ｍ−Ｘ２）ビットのUCIとが多重化される。上記において（Ｘ１＋Ｘ２）＝Ｍ＋Ｎ−Ｐであり、Ｘ１およびＸ２の両方は０以上の整数であり、また、
Ｐ≦Ｍのとき、ユーザ装置において、ＮビットのUCIは（Ｎ−Ｙ１）ビットのUCIに圧縮され、ＭビットのUCIは（Ｍ−Ｙ２）ビットのUCIに圧縮され、次いで（Ｎ−Ｙ１）ビットのUCIと（Ｍ−Ｙ２）ビットのUCIとが多重化される。上記において（Ｙ１＋Ｙ２）＝Ｍ＋Ｎ−Ｐであり、Ｙ１およびＹ２の両方は０より大きい整数である、（１５）に記載の基地局。
【０１５２】
（１７）．ＵＣＩ多重化ルールに従って、
（Ｍ＋Ｎ）≦Ｑのとき、ユーザ装置において、いかなる圧縮もせずに、ＮビットのUCIとＭビットのUCIとは多重化され、
Ｑ＜（Ｍ＋Ｎ）のとき、ユーザ装置において、ＮビットのUCIは（Ｎ−Ｚ１）ビットのUCIに圧縮され、ＭビットのUCIは（Ｍ−Ｚ２）ビットのUCIに圧縮され、この（Ｎ−Ｚ１）ビットのUCIと（Ｍ−Ｚ２）ビットのUCIとが多重化される。上記において（Ｚ１＋Ｚ２）≧Ｍ＋Ｎ−Ｑであり、Ｚ１およびＺ２の両方は０以上の整数である、
（１５）に記載の基地局。
【０１５３】
（１８）．設定された符号化レートがＵＣＩビットの最大符号化レートであり、Ｑが、このＵＣＩビットの最大符号化レート、想定されるリソースのサイズ、および想定される変調次数に基づいて算定される、（１５）に記載の基地局。
【０１５４】
（１９）．想定されるリソースのサイズが、参照信号（ＲＳ）に対するリソースエレメント（ＲＥ）を除いた、割り当てられた全体のＰＵＳＣＨリソースであり、ＵＬ割り当てに対するダウンリンク制御情報内の指示および準静的な構成に基づいて算定され、または準静的な構成のみに基づいて算定される、（１８）に記載の基地局。
【０１５５】
（２０）．ＵＣＩビットの最大符号化レートが、ＰＵＳＣＨのＵＣＩの多重化と物理アップリンク制御チャネル（ＰＵＣＣＨ）の多重化とに対して別個に設定されるが、ＰＵＳＣＨおよびＰＵＣＣＨに対する無線リソース制御（ＲＲＣ）パラメータセットは共通である、（１８）に記載の基地局。
【０１５６】
（２１）．想定される変調次数が、ＰＵＳＣＨのものと同じである、（１８）に記載の基地局。
【０１５７】
（２２）．Ｐ＜（Ｍ＋Ｎ）≦Ｑのとき、ユーザ装置において、ＵＣＩ多重化ルールに従って、いかなる圧縮もせずに、ＮビットのUCIとＭビットのUCIとが多重化される、（１５）に記載の基地局。
【０１５８】
（２３）．第１ＵＣＩに対しＵＣＩビットが使用され、
ＵＬグラント後のＤＬ割り当てを考慮した第１ＵＣＩの送信符号化レートからＵＬグラント後のＤＬ割り当てを考慮しない第１ＵＣＩの送信符号化レートを差し引いた差が所定の値より高いとき、第１ＵＣＩに対し追加のビットを供給するために、ユーザ装置において、ＵＣＩ多重化ルールに従って、ＰＵＳＣＨにおいて第１ＵＣＩよりも低い優先度の第２ＵＣＩのために使われるリソースが割り込みされる、（１５）に記載の基地局。
【０１５９】
（２４）．ユーザ装置において、ＰＵＳＣＨにおいて第２ＵＣＩのために使われるリソースが、ＵＣＩ多重化ルールに従って、第２ＵＣＩを圧縮するおよび／またはドロップさせることによって割り込みされ、
この第２ＵＣＩのドロップが、
第２ＵＣＩの符号化レートを変えることなく、第２ＵＣＩに対する一部のＲＥをドロップさせる、
第１ＵＣＩに使用される一部のＲＥを残すため第２ＵＣＩの符号化レートを変更する、および
第２ＵＣＩに対する全てのＲＥをドロップさせる、
のうちの１つを含む、（２３）に記載の基地局。
【０１６０】
（２５）．所定の値が、設定されるかまたは規格に規定される、（２３）に記載の基地局。
【０１６１】
（２６）．第１ＵＣＩがハイブリッド自動再送要求の応答確認（ＨＡＲＱ−ＡＣＫ）であり、第２ＵＣＩがチャネル状態情報（ＣＳＩ）である、（２３）に記載の基地局。
【０１６２】
（２７）．圧縮が、最初に空間領域で行われ、次に周波数領域で行われ、最後に時間領域で行われるか、あるいは、最初に空間領域で行われ、次に時間領域で行われ、最後に周波数領域で行われ、これはＲＲＣの設定に基づくかまたは規格に規定される、（１６）〜（１７）および（２４）のいずれか一項に記載の基地局。
【０１６３】
（２８）．ＵＣＩビットが、ＨＡＲＱ−ＡＣＫ、ＣＳＩパート１、およびＣＳＩパート２のうちの１つに使用され、
ＨＡＲＱ−ＡＣＫ、ＣＳＩパート１、およびＣＳＩパート２の各々に対する符号化レートは別々に設定される、（１５）に記載の基地局。
【０１６４】
（２９）．基地局からのアップリンク（ＵＬ）グラントの前にダウンリンク（ＤＬ）割り当てに基づいて生成されたＵＣＩのビット数ＭおよびＵＬグラント後のＤＬ割り当てに基づいて生成されたＵＣＩのビット数Ｎと、ＵＬグラントに示されたＵＣＩのビット数Ｐ、および／または少なくとも設定された符号化レートに基づいて算定されたビットの最大数Ｑと、の比較に従って送信対象のアップリンク制御情報（ＵＣＩ）を処理するステップであって、上記のＭ、Ｎ、Ｐ、Ｑの各々は０以上の整数である、該処理するステップと、
処理されたＵＣＩビットを、物理アップリンク共有チャネル（ＰＵＳＣＨ）で、ＵＬグラントに示された送信時間間隔（ＴＴＩ）で基地局に送信するステップと、
を含む、ユーザ装置のための無線通信方法。
【０１６５】
（３０）．送信対象のアップリンク制御情報（ＵＣＩ）を処理するステップが、
（Ｍ＋Ｎ）≦Ｐのとき、いかなる圧縮もせずに、ＮビットのUCIとＭビットのUCIを多重化するステップと、
Ｍ＜Ｐ＜（Ｍ＋Ｎ）のとき、ＮビットのUCIを（Ｎ−Ｘ１）ビットのUCIに圧縮し、ＭビットのUCIを（Ｍ−Ｘ２）ビットのUCIに圧縮し、次いで（Ｎ−Ｘ１）ビットのUCIと（Ｍ−Ｘ２）ビットのUCIとを多重化するステップであって、上記において（Ｘ１＋Ｘ２）＝Ｍ＋Ｎ−Ｐであり、Ｘ１およびＸ２の両方は０以上の整数である、該多重化するステップと、
Ｐ≦Ｍのとき、ＮビットのＵＣＩを（Ｎ−Ｙ１）ビットのＵＣＩに圧縮し、ＭビットのＵＣＩを（Ｍ−Ｙ２）ビットのＵＣＩに圧縮し、次いで（Ｎ−Ｙ１）ビットのＵＣＩと（Ｍ−Ｙ２）ビットのＵＣＩとを多重化するステップであって、上記において（Ｙ１＋Ｙ２）＝Ｍ＋Ｎ−Ｐであり、Ｙ１およびＹ２の両方は０より大きい整数である、該多重化するステップと、を含む、（２９）に記載の無線通信方法。
【０１６６】
（３１）．送信対象のアップリンク制御情報（ＵＣＩ）を処理するステップが、
（Ｍ＋Ｎ）≦Ｑのとき、いかなる圧縮もせずに、ＮビットのＵＣＩとＭビットのＵＣＩとを多重化するステップと、
Ｑ＜（Ｍ＋Ｎ）のとき、ＮビットのＵＣＩを（Ｎ−Ｚ１）ビットのＵＣＩに圧縮し、ＭビットのＵＣＩを（Ｍ−Ｚ２）ビットのＵＣＩに圧縮し、この（Ｎ−Ｚ１）ビットのＵＣＩと（Ｍ−Ｚ２）ビットのＵＣＩとを多重化するステップであって、上記において（Ｚ１＋Ｚ２）≧Ｍ＋Ｎ−Ｑであり、Ｚ１およびＺ２の両方は０以上の整数である、該多重化するステップと、を含む、（２９）に記載の無線通信方法。
【０１６７】
（３２）．設定された符号化レートはＵＣＩビットの最大符号化レートであり、Ｑは、このＵＣＩビットの最大符号化レート、想定されるリソースのサイズ、および想定される変調次数に基づいて算定される、（２９）に記載の無線通信方法。
【０１６８】
（３３）．想定されるリソースのサイズが、参照信号（ＲＳ）に対するリソースエレメント（ＲＥ）を除いた、割り当てられた全体のＰＵＳＣＨリソースであり、ＵＬ割り当てに対するダウンリンク制御情報内の指示および準静的な構成に基づいて算定され、または準静的な構成のみに基づいて算定される、（３２）に記載の無線通信方法。
【０１６９】
（３４）．ＵＣＩビットの最大符号化レートは、ＰＵＳＣＨのＵＣＩの多重化と物理アップリンク制御チャネル（ＰＵＣＣＨ）の多重化とに対して別個に設定されるが、ＰＵＳＣＨおよびＰＵＣＣＨに対する無線リソース制御（ＲＲＣ）パラメータセットは共通である、（３２）に記載の無線通信方法。
【０１７０】
（３５）．想定される変調次数が、ＰＵＳＣＨのものと同じである、（３２）に記載の無線通信方法。
【０１７１】
（３６）．送信対象のアップリンク制御情報（ＵＣＩ）を処理するステップが、
Ｐ＜（Ｍ＋Ｎ）≦Ｑのとき、いかなる圧縮もせずに、ＮビットのＵＣＩとＭビットのＵＣＩとを多重化するステップ、を含む、（２９）に記載の無線通信方法。
【０１７２】
（３７）．第１ＵＣＩに対しＵＣＩビットが使用され、送信対象のアップリンク制御情報（ＵＣＩ）を処理するステップが、
ＵＬグラント後のＤＬ割り当てを考慮した第１ＵＣＩの送信符号化レートからＵＬグラント後のＤＬ割り当てを考慮しない第１ＵＣＩの送信符号化レートを差し引いた差が所定の値より高いとき、第１ＵＣＩに対し追加のビットを供給するために、ＰＵＳＣＨにおいて第１ＵＣＩよりも低い優先度の第２ＵＣＩのために使われるリソースの割り込みを行うステップ、を含む、（２９）に記載の無線通信方法。
【０１７３】
（３８）．ＰＵＳＣＨにおいて第２ＵＣＩのために使われるリソースが、第２ＵＣＩを圧縮するおよび／またはドロップさせることによって割り込みが行われ、
この第２ＵＣＩをドロップさせるステップが、
第２ＵＣＩの符号化レートを変えることなく、第２ＵＣＩに対する一部のＲＥをドロップさせるステップと、
第１ＵＣＩに使用される一部のＲＥを残すために第２ＵＣＩの符号化レートを変更するステップと、
第２ＵＣＩに対する全てのＲＥをドロップさせるステップと、
のうちの１つを含む、（３７）に記載の無線通信方法。
【０１７４】
（３９）．所定の値が、設定されるかまたは規格に規定される、（３７）に記載の無線通信方法。
【０１７５】
（４０）．第１ＵＣＩがハイブリッド自動再送要求の応答確認（ＨＡＲＱ−ＡＣＫ）であり、第２ＵＣＩがチャネル状態情報（ＣＳＩ）である、（３７）に記載の無線通信方法。
【０１７６】
（４１）．圧縮が、最初に空間領域で行われ、次に周波数領域で行われ、最後に時間領域で行われるか、あるいは、最初に空間領域で行われ、次に時間領域で行われ、最後に周波数領域で行われ、これはＲＲＣの設定に基づくかまたは規格に規定される、（３０）〜（３１）および（３８）のいずれか一項に記載の無線通信方法。
【０１７７】
（４２）．ＵＣＩビットが、ＨＡＲＱ−ＡＣＫ、ＣＳＩパート１、およびＣＳＩパート２のうちの１つに使用され、
ＨＡＲＱ−ＡＣＫ、ＣＳＩパート１、およびＣＳＩパート２の各々に対する符号化レートが別々に設定される、（２９）に記載の無線通信方法。
【０１７８】
（４３）．物理アップリンク共有チャネル（ＰＵＳＣＨ）で、ＵＬグラントに示された送信時間間隔（ＴＴＩ）でユーザ装置から送信されるアップリンク制御情報（ＵＣＩ）のビットを受信するステップと、
ＵＣＩ多重化ルールに従ってＵＣＩビットを復号するステップと、
を含む、基地局のための無線通信方法であって、
これら送信の前のＵＣＩビットは、ユーザ装置において、基地局からのＵＬグラントの前にダウンリンク（ＤＬ：Ｄｏｗｎｌｉｎｋ）割り当てに基づいて生成されたＵＣＩのビット数ＭおよびＵＬグラント後のＤＬ割り当てに基づいて生成されたＵＣＩのビット数Ｎと、ＵＬグラントに示されたＵＣＩのビット数Ｐ、および／または少なくともＵＣＩ多重化ルールに従って設定された符号化レートに基づいて算定されたビットの最大数Ｑと、の比較に従って処理され、上記のＭ、Ｎ、Ｐ、Ｑの各々は０以上の整数である、
基地局のための無線通信方法。
【０１７９】
（４４）．ＵＣＩ多重化ルールに従って、
（Ｍ＋Ｎ）≦Ｐのとき、ユーザ装置において、いかなる圧縮もせずに、ＮビットのＵＣＩとＭビットのＵＣＩが多重化され、
Ｍ＜Ｐ＜（Ｍ＋Ｎ）のとき、ユーザ装置において、ＮビットのＵＣＩが（Ｎ−Ｘ１）ビットのＵＣＩに圧縮され、ＭビットのＵＣＩが（Ｍ−Ｘ２）ビットのＵＣＩに圧縮され、次いで（Ｎ−Ｘ１）ビットのＵＣＩと（Ｍ−Ｘ２）ビットのＵＣＩとが多重化され、（Ｘ１＋Ｘ２）＝Ｍ＋Ｎ−Ｐであり、Ｘ１およびＸ２の両方は０以上の整数であり、
Ｐ≦Ｍのとき、ユーザ装置において、ＮビットのＵＣＩが（Ｎ−Ｙ１）ビットのＵＣＩに圧縮され、ＭビットのＵＣＩが（Ｍ−Ｙ２）ビットのＵＣＩに圧縮され、次いで（Ｎ−Ｙ１）ビットのＵＣＩと（Ｍ−Ｙ２）ビットのＵＣＩとが多重化され、（Ｙ１＋Ｙ２）＝Ｍ＋Ｎ−Ｐであり、Ｙ１およびＹ２の両方は０より大きい整数である、（４３）に記載の無線通信方法。
【０１８０】
（４５）．ＵＣＩ多重化ルールに従って、
（Ｍ＋Ｎ）≦Ｑのとき、いかなる圧縮もせずに、ＮビットのＵＣＩとＭビットのＵＣＩとが多重化され、
Ｑ＜（Ｍ＋Ｎ）のとき、ユーザ装置において、ＮビットのＵＣＩが（Ｎ−Ｚ１）ビットのＵＣＩに圧縮され、ＭビットのＵＣＩが（Ｍ−Ｚ２）ビットのＵＣＩに圧縮され、この（Ｎ−Ｚ１）ビットのＵＣＩと（Ｍ−Ｚ２）ビットのＵＣＩとが多重化され、（Ｚ１＋Ｚ２）≧Ｍ＋Ｎ−Ｑであり、Ｚ１およびＺ２の両方は０以上の整数である、（４３）に記載の無線通信方法。
【０１８１】
（４６）．設定された符号化レートはＵＣＩビットの最大符号化レートであり、Ｑは、このＵＣＩビットの最大符号化レート、想定されるリソースのサイズ、および想定される変調次数に基づいて算定される、（４３）に記載の無線通信方法。
【０１８２】
（４７）．想定されるリソースのサイズが、参照信号（ＲＳ）に対するリソース要素（ＲＥ）を除いた、割り当てられた全体のＰＵＳＣＨリソースであり、ＵＬ割り当てに対するダウンリンク制御情報内の指示および準静的な構成に基づいて算定され、または準静的な構成のみに基づいて算定される、（４６）に記載の無線通信方法。
【０１８３】
（４８）．ＵＣＩビットの最大符号化レートは、ＰＵＳＣＨのＵＣＩの多重化と物理アップリンク制御チャネル（ＰＵＣＣＨ）の多重化とに対して別個に設定されるが、ＰＵＳＣＨおよびＰＵＣＣＨに対する無線リソース制御（ＲＲＣ）パラメータセットは共通である、（４６）に記載の無線通信方法。
【０１８４】
（４９）．想定される変調次数が、ＰＵＳＣＨのものと同じである、（４６）に記載の無線通信方法。
【０１８５】
（５０）．Ｐ＜（Ｍ＋Ｎ）≦Ｑのとき、ユーザ装置において、ＵＣＩ多重化ルールに従って、いかなる圧縮もせずに、ＮビットのＵＣＩとＭビットのＵＣＩとが多重化される、（４３）に記載の無線通信方法。
【０１８６】
（５１）．第１ＵＣＩに対しＵＣＩビットが使用され、
ＵＬグラント後のＤＬ割り当てを考慮した第１ＵＣＩの送信符号化レートからＵＬグラント後のＤＬ割り当てを考慮しない第１ＵＣＩの送信符号化レートを差し引いた差が所定の値より高いとき、ユーザ装置において、ＵＣＩ多重化ルールに従って、ＰＵＳＣＨにおいて第１ＵＣＩよりも低い優先度の第２ＵＣＩのために使われるリソースの割り込みが行われる、（４３）に記載の無線通信方法。
【０１８７】
（５２）．ユーザ装置において、ＵＣＩ多重化ルールに従って、ＰＵＳＣＨにおいて第２ＵＣＩのために使われるリソースが、第２ＵＣＩを圧縮するおよび／またはドロップさせることによって割り込みが行われ、
この第２ＵＣＩのドロップが、
第２ＵＣＩの符号化レートを変えることなく、第２ＵＣＩに対する一部のＲＥをドロップさせるステップと、
第１ＵＣＩに使用される一部のＲＥを残すために第２ＵＣＩの符号化レートを変更するステップと、
第２ＵＣＩに対する全てのＲＥをドロップさせるステップと、
のうちの１つを含む、（５１）に記載の無線通信方法。
【０１８８】
（５３）．所定の値が、設定されるかまたは規格に規定される、（５１）に記載の無線通信方法。
【０１８９】
（５４）．第１ＵＣＩがハイブリッド自動再送要求の応答確認（ＨＡＲＱ−ＡＣＫ）であり、第２ＵＣＩがチャネル状態情報（ＣＳＩ）である、（５１）に記載の無線通信方法。
【０１９０】
（５５）．圧縮が、最初に空間領域で行われ、次に周波数領域で行われ、最後に時間領域で行われるか、あるいは、最初に空間領域で行われ、次に時間領域で行われ、最後に周波数領域で行われ、これはＲＲＣの設定に基づくかまたは規格に規定される、（４４）〜（４５）および（５２）のいずれか一項に記載の無線通信方法。
【０１９１】
（５６）．ＵＣＩビットが、ＨＡＲＱ−ＡＣＫ、ＣＳＩパート１、およびＣＳＩパート２のうちの１つに使用され、
ＨＡＲＱ−ＡＣＫ、ＣＳＩパート１、およびＣＳＩパート２の各々に対する符号化レートが別々に設定される、（４３）に記載の無線通信方法。
【図１】
2021510015.tif 000003
【図２】
2021510015.tif 000004
【図３】
2021510015.tif 000005
【図４】
2021510015.tif 000006
【図５】
2021510015.tif 000007
【図６】
2021510015.tif 000008
【図７】
2021510015.tif 000009
【図８】
2021510015.tif 000010
【図９】
2021510015.tif 000011
【図１０】
2021510015.tif 000012
【国際調査報告】
2021510015.tif 000013
2021510015.tif 000014